(57)【特許請求の範囲】
【請求項１】
ボールを載置する軌条体と、該軌条体をパターのヘッド打撃面に対してその長手方向が略直角となるように、パターに取付け得るように構成された取付け手段を組み合わせ、
前記軌条体は所定寸法離間して略並行に配置された２個の軌条体構成部材からなり、
前記軌条体構成部材はその離間寸法がボールの直径より小さく、且つ前記軌条体にボールを載せた場合、該ボール底部が前記軌条体底部より下方に突出する寸法としたゴルフ練習具であって、
前記取付け手段と前記軌条体は、該軌条体の長手方向に所定長さを有する傾動部材の一端と他端を、それぞれ前記取付け手段と前記軌条体に傾動可能に連結してなる傾動機構を介して連結し、
前記取付け手段と連結した前記傾動部材の一端の連結部は、該傾動部材が前記取付け手段に対して所定範囲で上下方向に傾動し得るように構成すると共に、前記軌条体に連結した前記傾動部材の他端の連結部は、該傾動部材に対して前記軌条体が所定範囲で上下方向に傾動し得るように構成されていることを特徴とするゴルフ練習具。
【請求項２】
前記傾動部材の少なくとも一部分が、前記軌条体として構成されていることを特徴とする請求項１に記載のゴルフ練習具。
【請求項３】
前記傾動機構には、前記取付け手段に対する前記傾動部材の前記上下方向の傾動角および／または前記傾動部材に対する前記軌条体の前記上下方向の傾動角を各別に規制し得る傾動角調節手段が設けられていることを特徴とする請求項１または２に記載のゴルフ練習具。
【請求項４】
前記傾動部材が前記取付け手段に対して前記軌条体の幅方向にも傾動し得るように構成されると共に、
前記軌条体は前記傾動部材に対して前記軌条体の幅方向にも傾動し得るように構成されていることを特徴とする請求項１ないし３のいずれか１つに記載のゴルフ練習具。
【請求項５】
前記傾動部材が弾性または可撓性を有する部材で構成されていることを特徴とする請求項１ないし４のいずれか１つに記載のゴルフ練習具。
【発明の詳細な説明】
【０００１】
【発明の属する技術分野】
本発明はゴルフ練習具に関し、特にパッティングやショートアプローチ等のような軽い打撃練習を繰り返し簡便に行い得るゴルフ練習具に関するものである。
【０００２】
【従来技術】
ゴルフの上達においては、パッティング技術の上達が不可欠とされ、愛好家のあいだでは、家庭などで不断の練習がおこなわれている。しかしながら、従来は練習のためのマットの敷設、収納、ボールの位置決め、打撃後のボールの収集等に多大の手間を要し、手軽に練習を行い得ないのが実情である。こうした観点から本出願人は先に、狭い場所でも簡便にパッティングの繰り返し練習を行い得るゴルフ練習具として特開昭６３―５９９７８号公報に開示したような構成を有するゴルフ練習具を提案している。
【０００３】
上記ゴルフ練習具（以下、従来例という）の基本的な構成は図９０〜図９４に示すようなもので、図９０は右利きの練習者がボール１５１を打撃するべく構えた状態を練習者の前方から見た側面図、図９１は図９０のＡ―Ａ断面図、図９２は図９０のＢ―Ｂ断面図である。上記図において、１５０は軌条体であり該軌条体は所定の寸法だけ離間して略並行に配置された２個の軌条体構成部材１５０ａ、１５０ａで構成され、その離間寸法は図９１に示すようにボール１５１の直径寸法より適量小さく、且つ軌条体１５０にボール１５１を載せた場合、該ボールの底部が軌条体１５０の下面より寸法ａだけ下方に突出する寸法に構成されている。また軌条体は前方（ｘ方向）上がりにわん曲し、このわん曲半径は多くの練習者がスイングした場合にパター１５２のヘッド１５３の底部が描く円弧状軌道Ｓの半径より適量大きい寸法に形成されている。
【０００４】
１５４は軌条体の前端に設けられたストッパーであり、該ストッパーにより２個の軌条体構成部材１５０ａ、１５０ａの前端は一体的に連結されている。１５５は軌条体をパターのヘッドに取り付けるための取付け手段であり、該取付け手段と前記軌条体はヒンジピン１５６、１５６を介して連結されている。上記のように連結された軌条体は、取付け手段１５５に対し、ボールを打撃するべく構えた図９０の初期状態から、ヒンジピン１５６、１５６を軸として反時計方向には傾動可能であるが、時計方向の傾動は、軌条体１５０の後端上面と取付け手段１５５の下面との接触によって阻止されている。
【０００５】
上記のように構成された従来例は、使用に際し、前記取付け手段１５５を介して図９０のようにパターのヘッド１５３に取り付け、２個の軌条体構成部材１５０ａ、１５０ａの間にボール１５１を入れ、軌条体の底面を床面１５７から微小寸法だけ浮かした状態で通常のパッティング動作を行う時のように構える。この状態で軌条体の底面は図９２に示すように床面１５７より微小寸法ｂだけ上方にあり、この寸法ｂが前記図９１に示した寸法ａより小さいことから、ボールは２個の軌条体構成部材１５０ａ、１５０ａに接触することなく床面１５７上に静止している。
【０００６】
つぎに、図９３に示すようにヘッドを軌条体の長手方向に真っすぐ引いて通常のパッティング時のように後方（―ｘ方向）にテークバックをとる。このテークバックにより軌条体はヘッドに引かれて後方に移動するが、前記したように軌条体のわん曲半径がヘッド底部の描く円弧状軌道Ｓの半径より大きいので、軌条体はヘッドに対しては反時計方向に傾動しながら後方に移動し、この間、２個の軌条体構成部材１５０ａ、１５０ａはボールに接触することなく、ボールの下方両側部をすり抜けるように後方に移動してテークバックを終了する。このテークバック終了時において、軌条体は床面と点Ｐで接し、床面に静止したボール位置における軌条体の床面からの高さ寸法はｃ１となる。
【０００７】
つぎにヘッドを前方に振り出してボールを打撃するが、この場合も前記テークバックのときとは逆の過程をたどり、軌条体はボールに接触することなくヘッドに対しては時計方向に傾動し、ヘッドは床上に静止したボールを打撃する。この打撃と同時に軌条体のヘッドに対する時計方向の傾動が阻止される。打撃されたボールは或る距離だけ軌条体に接触することなく床面を前方に転がるが、時計方向の傾動を阻止された軌条体が円弧状軌道Ｓに沿って上昇してくるので、ボールはやがて軌条体に乗り上げて軌条体上で失速し、その後は２個の軌条体構成部材に跨がって、ヘッドまで転がり降りてくる。上記従来例はこうした動作を繰り返すことによって簡便にパッティング練習を行うものである。
【０００８】
そして特に、上記従来例はヒンジピン１５６、１５６を用いて、取付け手段に対し軌条体を傾動可能に構成しているので、前記ヘッドの円弧状軌道Ｓの半径に個人差があっても、該個人差による不具合は軌条体が自動的に傾動することによって解消し得るようにしたものである。
【０００９】
【発明が解決しようとする課題】
しかしながら上記従来例は大方の練習者が、前記円弧状軌道Ｓの半径の個人差に関係なく使用し得るものの、前記テークバック終了時の静止ボール位置における床面からの軌条体の高さ寸法ｃ１が大きくなり、２個の軌条体構成部材とボールとの軌条体幅方向の隙間がきわめて少なくなるため、スイング途上における軌条体の幅方向の振れの大きい初心者などには使用しにくいという欠点がある。
【００１０】
すなわち、上記従来例は取付け手段に対する軌条体の傾動が側面的に見て１本のヒンジピンを軸にして行えるように構成され、しかも従来例をパターに取り付けた状態では、ヒンジピン１５６、１５６がヘッド１５３の近くに位置しているため、図９３に示すように、ヘッドを円弧状軌道Ｓに沿って寸法Ｌだけ後方に移動した場合、軌条体の後部がヒンジピンに吊り上げられて、ヘッドの上昇寸法と略等しい寸法Ｈだけ上昇し、静止ボール位置における床面からの軌条体の高さ寸法ｃ１が大きくなり、その結果、図９４に示すようにボール１５１と軌条体構成部材１５０ａ、１５０ａとの幅方向の隙間寸法ｃ２が小さくなって、幅方向のわずかな振れによっても軌条体構成部材がボールに接触し、直線的なスイングの行えない初心者、とりわけ円弧状軌道Ｓの半径が小さな打法を有する初心者等には使用できないという無視できない欠点がある。なお、図９３は従来例の作動状態を示す側面図、図９４は図９３のＣ―Ｃ断面図である。
【００１１】
本発明は上述の点に鑑みてなされたものであり、パターに取り付けてスイングする場合、ヘッドを後方に引いてテークバックをとっても、静止ボール位置における軌条体の床面からの高さ寸法が、初期の構えた状態からそれほど大きく増加せず、従って軌条体と床面に静止したボールの隙間を大きく保ったまま、軌条体の幅方向振れを大きく許容しながら打撃練習を行い得るゴルフ練習具の提供を目的としている。
【００１２】
本発明は、ボールを載置する軌条体と、該軌条体をパターのヘッド打撃面に対してその長手方向が略直角となるように、パターに取付け得るように構成された取付け手段を組み合わせ、
前記軌条体は所定寸法離間して略並行に配置された２個の軌条体構成部材からなり、
前記軌条体構成部材はその離間寸法がボールの直径より小さく、且つ前記軌条体にボールを載せた場合、該ボール底部が前記軌条体底部より下方に突出する寸法としたゴルフ練習具に関する。
請求項１の発明は、前記取付け手段と前記軌条体は、該軌条体の長手方向に所定長さを有する傾動部材の一端と他端を、それぞれ前記取付け手段と前記軌条体に傾動可能に連結してなる傾動機構を介して連結し、
前記取付け手段と連結した前記傾動部材の一端の連結部は、該傾動部材が前記取付け手段に対して所定範囲で上下方向に傾動し得るように構成すると共に、前記軌条体に連結した前記傾動部材の他端の連結部は、該傾動部材に対して前記軌条体が所定範囲で上下方向に傾動し得るように構成されていることを特徴とする。
請求項２の発明は、前記傾動部材の少なくとも一部分が、前記軌条体として構成されていることを特徴とする。
請求項３の発明は、前記傾動機構には、前記取付け手段に対する前記傾動部材の前記上下方向の傾動角および／または前記傾動部材に対する前記軌条体の前記上下方向の傾動角を各別に規制し得る傾動角調節手段が設けられていることを特徴とする。
請求項４の発明は、前記傾動部材が前記取付け手段に対して前記軌条体の幅方向にも傾動し得るように構成されると共に、
前記軌条体は前記傾動部材に対して前記軌条体の幅方向にも傾動し得るように構成されていることを特徴とする。
請求項５の発明は、前記傾動部材が弾性または可撓性を有する部材で構成されていることを特徴とする。
【００１３】
上記のように構成した本発明のゴルフ練習具は、パターに取り付けてボールの打撃練習を行う場合、ヘッドを後方に引いてテークバックをとっても、軌条体後部の床面からの上昇高さを低く抑えることができ、床面に静止したボールと軌条体構成部材の幅方向の隙間を大きく保つことができる。そして、前述したように、ボールと軌条体構成部材の幅方向の隙間を大きく保つことにより、スイング途上の軌条体すなわちヘッドの振れを大きく許容することができるので、ヘッドの軌道が安定しない初心者等にも使用しやすい練習具とすることができる。
【００１４】
【発明の実施の形態】
以下、本発明の実施の形態例を図面に基づいて説明する。
〔第１実施形態例〕
図１〜図７は本発明の第１実施形態例であるゴルフ練習具を示す図であり、図１は右利き練習者が所持する通常のパター１６０のヘッド１６１に本発明のゴルフ練習具を取り付け、前方（ｘ方向）へ打撃するべく構えた状態を示す側面図、図２は平面図、図３は図１のＤ―Ｄ断面図、図４は図１のＥ―Ｅ断面図、図５は基板と傾動部材および軌条体の関係を示す分解組立て斜視図、図６は作動を示す側面図、図７は図６のＦ―Ｆ断面図である。
【００１５】
本ゴルフ練習具は、図１および図２に示すように２個の軌条体構成部材から成る軌条体と、該軌条体の後方（―ｘ方向）にあって該軌条体を通常のパターのヘッドに取り付けることのできる取り付け手段と、該取り付け手段と前記軌条体を連結する傾動部材と、前記軌条体の先端に設けられたストッパー部材より成る。
【００１６】
軌条体１は、後方から前方（ｘ方向）に向かって略平行に伸びた２個の軌条体構成部材１ａ、１ａで構成され、該軌条体１は凹状にわん曲している。このわん曲半径は、多くの練習者がスイングした場合にパターのヘッド１６１の底部が描く円弧状軌道Ｓの半径より適量大きい寸法に形成されている。２個の軌条体構成部材１ａ、１ａはボール２の直径寸法より適量小さい間隔で配置され、その断面は、軌条体１上にボール２を載せた場合、図３に示すようにボール２の底部が軌条体１の底部から下方に向けて寸法ａだけ突出するように構成される。
【００１７】
また２個の軌条体構成部材１ａ、１ａはその前端部がストッパー部材４により一体的に連結され、後端部は図５にも示すように軌条体の捩れ防止を兼ねた間隔保持部材５により一体的に連結されている。軌条体構成部材１ａ、１ａの後方寄りの所定位置には図５にも示すようにリブ部材６、６ａが勝手反対に立設され、該リブ部材６、６ａにはそれぞれヒンジピン孔７、７ａがｚ方向一直線上にあるように設けられる。なお、８、８は後述する使用時にヘッドのテークバック寸法を上方から視認するために軌条体構成部材１ａ、１ａの上面に設けた目盛りである。
【００１８】
軌条体１の後部には、前方が二股状に開き、底面が前記円弧状軌道Ｓと略等しい半径でわん曲した基板９が配置される。該基板９の両側部前端にはパターのヘッドの打撃面１６２を宛てがうための打撃面当接体１０、１０ａが立設されている。該２個の打撃面当接体１０、１０ａは平面的に見て軌条体１の中心線と略直角をなすｚ方向一直線上に配置される。打撃面当接体１０、１０ａの両外側部にはそれぞれヒンジピン取り付けリブ部材１１、１１ａが設けられ、該リブ部材１１、１１ａにはそれぞれｚ方向一直線上にあるようにヒンジピン孔１２、１２ａが設けられる。
【００１９】
１３、１３ａは前記軌条体１と前記基板９を連結する傾動部材である。該２個の傾動部材１３、１３ａは、軌条体１の中心線に対して互いに勝手反対に構成されているので、説明は片側の傾動部材１３のみについて行う。該傾動部材１３は図５に示すように概ね軌条体１の長さ方向に沿うように配置されたアーム部材１４と、該アーム部材１４の前後に所定寸法だけ離れて設けられたヒンジピン孔１５、１６と、該ヒンジピン孔１６の下方近傍から後方に延設されたストッパー座１７とから構成されている。
【００２０】
上記傾動部材１３と前記基板９との連結は、傾動部材の孔１６と前記基板の孔１２に雄ネジ部を有する頭付きヒンジピン１８を遊嵌し、片端にナット１９を緩く螺入し、ビスとナットは接着剤等で固着して行われる。また傾動部材１３と軌条体との連結も同様に傾動部材の孔１５と前記軌条体構成部材１ａのリブ部材６に設けた孔７に雄ネジ部を有する頭付きヒンジピン２０を遊嵌し、片端にナット２１を緩く螺入し、ビスとナットは接着剤等で固着して行われる。なお、傾動部材１３ａも上記と同様に基板の孔１２ａと傾動部材の孔１６ａに頭付きヒンジピン１８ａを、また傾動部材１３ａの孔１５ａとリブ部材に設けた孔７ａに頭付きヒンジピン２０ａをそれぞれ遊嵌し、それぞれにナット１９ａ、２１ａを螺入し、前記同様にビスとナットは接着剤等により固着する。
【００２１】
上記のように連結された状態で、基板９と傾動部材１３、１３ａおよび軌条体１は図１に示すようにボールを打撃するべく構えた初期状態にあり、該初期状態で傾動部材１３、１３ａのストッパー座１７、１７ａは基板９の底面に略平行に接しており、軌条体１の後端部上面は前記ストッパー部材１７、１７ａの下面に接している。このように接するのは軌条体１の重心が前記ヒンジピン２０、２０ａより前方（ｘ方向）に位置するためである。また、前記初期状態で軌条体１のわん曲線の後端部の接線と、基板９のわん曲線の前端部の接線は略同じ傾きを有しており、この傾きは床面２８に略平行になっている。
【００２２】
上記のように連結された傾動部材１３、１３ａは、基板９に対し図１に実線で示す初期状態からヒンジピン１８、１８ａを軸として破線で示すように反時計方向には傾動自在であるが、上記実線で示す初期状態から時計方向への傾動はストッパー座１７、１７ａが基板９の底面に当接しているので阻止される。また、軌条体１は傾動部材１３、１３ａに対し、同図中に実線で示す初期状態からヒンジピン２０、２０ａを軸として破線で示すように反時計方向には傾動自在であるが、上記初期状態からの時計方向への傾動は軌条体１の後端部がストッパー座１７、１７ａに当接しているので阻止される。
【００２３】
以下、上記構成のゴルフ練習具を通常のパターに取り付けてパッテイング練習を行う方法について説明する。まず、図１、図２に示すように、パター１６０のヘッド１６１の打撃面１６２を打撃面当接体１０、１０ａに宛てがい、平面視でヘッド１６１の重心位置を軌条体１の中心線に一致させ、押さえ具２２の前端をヘッドの後部上面に、また後端部の舌片２３を基板９に設けられた多数個の角孔２４…のいずれかに嵌め合わせ、基板９の下方から孔２５を介して挿入したボルト２６にローレットナット２７をねじ込んで締め付ける。これにより基板９、軌条体１は共にパターヘッド１６１に摩擦固定され、練習者はパター１６０を振ることによって、基板９、軌条体１および傾動部材１３、１３ａを一体的にスイングすることができる。
【００２４】
つぎに２個の軌条体構成部材１ａ、１ａの間の床面２８上にボール２を置き、軌条体１の底部を床面２８から微小寸法だけ浮かした状態で通常のパッティングを行うようにパターを構える。この状態で軌条体１の底部は図４に示すように床面２８より微小寸法ｂだけ上方にあり、この寸法ｂは図３に示した寸法ａより小さい。従ってボール２は２個の軌条体構成部材１ａ、１ａには接触しない。
【００２５】
つぎに、図６に示すようにヘッド１６１を後方（―ｘ方向）に引いてテークバックをとるとヘッド底部は凹状の円弧状軌跡Ｓに沿って軌条体１と共に移動する。この円弧状軌跡Ｓの半径は練習者の身長、打法、姿勢等によって異なり、練習者固有のものである。しかしながら前記したように軌条体１のわん曲半径は、多くの練習者がスイングした場合のヘッド底部の描く円弧状軌道Ｓの半径より大きい。このためヘッドの後方への移動が進むにつれて軌条体１の底部はやがて床面２８に接し、その後は床面２８を擦りながらヘッドに引かれて後方に移動する。
【００２６】
この移動につれて傾動部材１３、１３ａは基板９に対しヒンジピン１８、１８ａを軸として図６に破線で示した状態から実線で示した状態まで反時計方向に傾動し、また軌条体１は傾動部材１３、１３ａに対しヒンジピン２０、２０ａを軸として同図６に破線で示した状態から実線で示した状態まで反時計方向に傾動し、寸法Ｌのテークバックが終了する。このテークバック途上、床面に静止したボール２の下方側部をすり抜ける２個の軌条体構成部材１ａ、１ａの下面までの、床面２８からの高さは、通常の範囲では練習者の円弧状軌道Ｓがどのような半径であっても、常に図３で示した寸法ａより小さくなる。従ってテークバック時に軌条体構成部材１ａ、１ａボール２に接触することはなく、２個の軌条体構成部材１ａ、１ａはテークバック開始から終了までボール２の下方側部をすり抜ける。なお、前記テークバックした寸法は軌条体構成部材１ａ、１ａに設けた目盛り８、８により練習者が上方から視認できる。
【００２７】
上記テークバック終了時点で床面２８から軌条体１の後端部までの高さは図示のように寸法Ｈ１となり、該寸法Ｈ１は前記従来例で述べたテークバック終了時点の軌条体後端部の高さＨより小さい。上記のようにテークバックを終了した時点で軌条体１の底部は床面２８に接したままの状態にあり、床面に静止したままのボール２の位置における床面２８から軌条体１までの高さ寸法はｃ３となる。そしてこの寸法ｃ３もまた、前記寸法Ｈ１が小さい寸法であることから、前記従来例で述べた寸法ｃ１より小さな寸法となり、図７に示すように静止ボール２に対するスイング途上の軌条体幅方向の許容振れ寸法ｃ４が大きくなり、初心者等には極めて使用しやすくなる。
【００２８】
つぎにヘッドを前方に振り出して床面に静止したままのボール２を打撃するが、この場合は上記テークバックの場合とは逆の過程をたどり、傾動部材１３、１３ａと軌条体１は基板９つまりヘッドに押されて前方に移動する。この場合、軌条体１はボール２に接触することなく床面２８を擦りながら移動する。そして軌条体１は傾動部材１３、１３ａに対しては前記と反対に時計方向に傾動し、傾動部材１３、１３ａも基板９に対しては時計方向に傾動して図１に示す初期状態にもどり、ヘッド１６１がボール２を打撃する。この打撃と同時に傾動部材１３、１３ａは、ストッパー座１７、１７ａが基板９の底面に接触し、それ以後の時計方向の傾動を阻止される。また軌条体１も、打撃と同時にその後部が前記ストッパー座１７、１７ａの下面に接触するので、その後の時計方向の傾動を阻止される。
【００２９】
打撃されたボール２は軌条体１に接触することなく、或る距離だけ床面２８上を前方に転走する。このボール２の転走速度はヘッドと連動して振り出される軌条体１の速度より大きい。しかしながらヘッドに対する時計方向の傾動を阻止された軌条体１はヘッドの描く円弧状軌跡Ｓに沿って上昇しつづけるので、ボール２はやがて軌条体１に乗り上げ、２個の軌条体構成部材１ａ、１ａに跨がって軌条体上を転走しはじめる。
【００３０】
軌条体１上を転走しはじめたボール２はその後のヘッドの振り出しによって起こる軌条体１の前上がり勾配の増加によって制動され、軌条体１上で失速する。また、強く打撃した場合はボールは先端のストッパー部材４に衝突して失速する。軌条体１上で失速したボール２は２個の軌条体構成部材１ａ、１ａに跨がって軌条体上を転がりながらヘッド１６１まで戻ってくる。
【００３１】
本発明の第１実施形態例は上述したようなものであり、パターのヘッドに取り付けるだけで、面倒なボール収集等が不要となり、上方から見たヘッドの打撃面１６２に直角な軌条体１の中心線を打撃目標線に見立て、該打撃目標線に沿って軌条体ふらつかせず真っすぐに、繰り返しスイングするだけでパッティングの基本動作を簡単に習得することができる。
【００３２】
〔第２実施形態例〕
図８〜図１０は本発明の第２実施形態例であるゴルフ練習具を示す図であり、図８は部分側面図、図９は部分平面図、図１０は前記同様に基板、傾動部材、軌条体の片側だけの関係を示す分解組み立て斜視図である。本実施形態例は傾動部材１３、１３ａの一部を前記軌条体１を構成する軌条体構成部材１ａ、１ａとして構成ししたもので、打撃後のボールが傾動部材より前方の軌条体から傾動部材と一体的に構成された軌条体に乗り換えて、ヘッドまで戻ってくるようにしたものである。
【００３３】
上記図において、傾動部材１３、１３ａは前記同様に軌条体１の中心線に対して互いに勝手反対の形状に構成されているが、説明は片側の傾動部材１３のみについて行う。該傾動部材１３は前記同様概ね軌条体１の長さ方向に沿うように配置されたアーム部材１４と、該アーム部材１４の前後に所定寸法だけ離れた位置に設けられたヒンジピン孔１５、１６と、該ヒンジピン孔１６の下方近傍から後方に延設されたストッパー座１７と、該ストッパー座１７から前方に向けてヒンジピン孔１５の所定寸法後方まで一体的に延設された軌条体構成部材１ａとから構成されている。該軌条体構成部材１ａのｚ方向の幅および高さ方向の厚さは傾動部材１３より前方に設けられた軌条体構成部材１ａのそれらと同じである。また傾動部材と一体的に設けられた軌条体構成部材のわん曲半径は、傾動部材より前方に設けられた軌条体構成部材１ａのわん曲半径と略等しい。
【００３４】
また傾動部材より前方に設けられた２個の軌条体構成部材１ａ、１ａの後部には図１０にも示すように、軌条体１の幅方向外側に向けて突出した突出部１ｂを設け、該突出部１ｂより所定寸法だけ前方には前記同様にヒンジピン孔７を有するリブ部材６が設けられる。
【００３５】
上記のように構成された傾動部材１３、１３ａの後部は前記同様に基板９の前端に傾動可能に連結される。この連結は前記同様に基板側のヒンジピン孔１２、１２ａと傾動部材後部のヒンジピン孔１６、１６ａにヒンジピン１８、１８ａを挿通し、ナット１９、１９ａを緩くねじ込んで接着することにより行われる。
【００３６】
また傾動部材１３、１３ａの前端は該傾動部材より前方に設けられた軌条体構成部材１ａ、１ａの後部に傾動可能に連結される。この連結も前記同様に傾動部材の前端のヒンジピン孔１５、１５ａと軌条体構成部材のリブ部材６、６ａの孔７、７ａに、ヒンジピン２０、２０ａを挿通してナット２１、２１ａを適度に緩く締め付け、接着剤により固着することにより行われる。
【００３７】
上記のように構成された本実施形態例は、図８に実線で示すようにボール２を打撃するべく構えた初期状態において、基板９の前端部の接線と、傾動部材と一体的に構成された軌条体構成部材の後端部の接線とは、略同じ傾きを有し、また傾動部材と一体的に構成された軌条体構成部材の前端部の接線と、それより前方に設けられた軌条体構成部材１ａ、１ａの後端部の接線も略同じ傾きを有している。
【００３８】
以上のように構成された傾動部材１３、１３ａは、基板９に対しヒンジピン１８、１８ａ軸として図８に実線で示す初期状態から破線で示すように反時計方向には所定角度自在に傾動し得るものの、時計方向の傾動は前記同様ストッパー座１７、１７ａの基板下面への当接によって阻止されている。
【００３９】
また傾動部材より前方に設けられた軌条体１も傾動部材１３、１３ａに対しヒンジピン２０、２０ａを軸として図８に実線で示す初期状態から破線で示すように反時計方向には自由に傾動し得るものの、時計方向への傾動は前記突出部１ｂ、１ｂがアーム部材１４、１４ａの下面２９、２９に当接しているので阻止される。なお、上記初期状態において、傾動部材の前方に設けられた軌条体構成部材１ａ、１ａの上下面は、傾動部材と一体的に構成された軌条体構成部材１ａ、１ａの上下面と略一致しており、傾動部材より前方に設けられた軌条体構成部材１ａ、１ａの後端部と、傾動部材と一体的に設けられた軌条体構成部材１ａ、１ａとは微小な隙間ｄを介して実質的に繋がっている。また、傾動部材１３、１３ａと一体的に設けられた軌条体構成部材１ａ、１ａの間隔は、傾動部材より前方に設けられた２個の軌条体構成部材１ａ、１ａの間隔と略等しい。
【００４０】
本実施形態例は上記のように構成されており、前記同様ボールを打撃するべく構えた初期状態で傾動部材に設けられた２個の軌条体構成部材がボールに接触することはなく、またテークバック時に傾動部材が傾いても、該傾動部材に設けられた軌条体構成部材が床面に静止したボールに接触することなく後方に移動することができるので、前記第１実施形態例と同様の作用効果を奏する。なお打撃後、軌条体上で制動されたボールは前方の軌条体構成部材１ａ、１ａから微小隙間ｄを跨ぎ、傾動部材に設けられた軌条体構成部材１ａ、１ａに跨がってヘッド中心まで戻ってくる。
【００４１】
〔第３実施形態例〕
図１１は本発明の第３実施形態例の一部を示す図で、前記同様に片側のみの傾動部材と基板及び軌条体構成部材の関係を示す分解組立て斜視図である。同図に示すように本実施形態例の傾動部材１３、１３ａは、前記図１０に示した第２実施形態例の傾動部材からアーム部材１４、１４ａを削除し、傾動部材１３、１３ａを軌条体構成部材１ａ、１ａだけで構成したものである。すなわち本実施形態例では、傾動部材を後方部分の軌条体１として構成している。
上記のように構成された本実施形態例も前記第２実施形態例と同様の作用効果を奏することは明らかである。
【００４２】
〔第４実施形態例〕
図１２〜図１４は本発明の第４実施形態例を示す図であり、図１２は前記同様ボールを打撃するべく構えた状態を示す部分側面図、図１３は部分平面図、図１４は基板、傾動部材、軌条体の片側のみの関係を示す分解組立て斜視図である。
【００４３】
本発明のゴルフ練習具を用いて打撃練習を行う場合、前記したように打撃されたボール２は打撃位置から前方に或る距離だけ軌条体１に接触することなく床面を転走して軌条体１に乗り上げる。従って本発明ゴルフ練習具は、パターヘッドの打撃面１６２から前方に向けた或る区間には、軌条体１は必ずしも必要なものではない。本実施形態例はこうしたことを踏まえて、パターヘッドの打撃面１６２から前方に向けた所定区間は軌条体１を設けず、この区間は基板９と軌条体１を傾動部材だけで連結したものである。
【００４４】
上記図１２〜図１４において、傾動部材１３、１３ａは前記第２実施形態例（図８〜図１０）で述べた傾動部材から、該傾動部材と一体的に構成された軌条体構成部材１ａ、１ａだけを省いたものであり、その他はすべて前記第２実施形態例の傾動部材と同じである。なお、軌条体構成部材１ａ、１ａの後端１ａ′、１ａ′は打撃されて床面２８を転がったボール２が軌条体構成部材１ａ、１ａに接する部位３０、３０より適当寸法だけ後方（―ｘ方向）に位置している。なお上記以外は前記実施形態例と同じである。本実施形態例は以上のように構成されており、前記実施形態例と同様の作用効果を奏する。なお、本実施形態例では打撃後軌条体上で制動されたボールはヘッドまで戻って来ず、軌条体構成部材の後端１ａ′、１ａ′の部分で床面２８に落下し惰性でヘッドまで戻ってくる。
【００４５】
〔第５実施形態例〕
図１５〜図１９は本発明の第５実施形態例であるゴルフ練習具を示す図であり、図１５は部分側面図、図１６は部分平面図、図１７は片側だけの傾動部材周辺を示す部分斜視図、図１８、図１９は作動状態を示す側面図である。本実施形態例においては、軌条体の長さ方向に所定の長さを有する傾動部材１３、１３ａは、上下方向に適度な弾性を有する厚さの薄いバネ鋼、リン青銅、樹脂等で構成される。該傾動部材１３、１３ａのアーム部材３１、３１ａは前記初期状態において２個の軌条体構成部材１ａ、１ａのわん曲線に沿って略並行して配置され、その先端はビス３５、３５ａにより軌条体構成部材１ａ、１ａの突出部３４、３４ａの上面に固着されている。また傾動部材１３、１３ａの後端は立ち上がり部３２、３２ａを介してビス３３、３３ａにより前記基板１の打撃面当接体１０、１０ａに固着されている。本実施形態例の場合も前記同様に図１５に示すように、ボール２を打撃するべく構えた初期状態において、基板１の前部底面の接線と軌条体１の後部の接線の傾きは略等しくなるように構成され、この初期状態で軌条体１の後部上面は基板９の底面に接している。上記以外は前記第１実施形態例（図１〜図７）と略同じである。
【００４６】
つぎに本実施形態例の作用について述べると、前記同様にボールを打撃するべく構えた図１５の初期状態からヘッド１６１を後方（―ｘ方向）に引いてテークバックをとると、軌条体１のわん曲半径が練習者の前記円弧状軌道Ｓより大きいので、図１８に示すように軌条体１はテークバックが進むにつれて床面２８に接し、ヘッド１６１つまり基板９に対しては反時計方向に傾動しながらヘッドに引かれて後方に移動する。この傾動は基板９に対する傾動部材１３、１３ａの撓みによる反時計方向の傾動と、傾動部材１３、１３ａに対する軌条体１の反時計方向の傾動（この傾動は傾動部材の撓みによって生じる）が加算されて起こるもので、このように撓んだ状態では、該傾動部材１３、１３ａの撓み曲線の半径は軌条体のわん曲半径より小さくなるため、テークバック終了時点における軌条体後部の床面２８からの高さ寸法Ｈ２は、基板９の床面２８からの高さ寸法Ｈより小さくなる。従って本実施形態例の場合も、テークバック終了時点での床面上に静止したボール位置における軌条体１床面からの高さ寸法は前記従来例より小さくなり、前記第１実施形態例と同様にテークバック終了時点における軌条体と静止ボールとの軌条体幅方向の隙間寸法を多く確保することができ、軌条体幅方向の振れを大きく許容できる。
【００４７】
つぎにヘッドを前方に振り出してボール２を打撃するが、この場合は前記テークバック時とは逆に過程をたどり、傾動部材１３、１３ａは自身の弾性により小さくなったわん曲半径を元の状態に戻しながら軌条体と共に前方に移動して初期状態に戻り、ボール２を打撃する。打撃されたボールは前記同様に軌条体に接触することなく或る距離だけ前方に転がった後、円弧状軌道Ｓに沿って上昇してくる軌条体に接触して乗り上げる。この乗り上げた時点でボール重量により軌条体は前記初期状態に比べ、基板に対してはわずかに時計方向に傾動し、その後は図１９に示すように、その時計方向に傾動したままの状態で前方に振り出される。軌条体上で制動されたボールは前記同様に軌条体上を転がってヘッドまで戻ってくる。
【００４８】
本実施形態例は上記したように前記実施形態例と略同様の作用効果を奏するものであるが、特に本実施形態例のものは打撃されたボールが床面を転がって、軌条体１に乗り上げた瞬間に、その衝撃力やボールの重量で傾動部材が弾性変形し、軌条体１が時計方向に傾動するので、打撃直後の不快な衝撃を吸収、緩和できるという優れた特徴を有している。
【００４９】
〔第６実施形態例〕
図２０〜図２２は本発明の第６実施形態例であるゴルフ練習具を示す図であり、図２０は前記同様に両側に設けられた２個の傾動部材のうち片側のみの傾動部材の周辺を示す部分斜視図、図２１、図２２は作動を説明する側面図である。本実施形態例は図２０にも示すように前記第５実施形態例（図１５〜図１９）と同様な弾性を有する傾動部材１３、１３ａの所定位置に、図示のように上方に向けて突出したループ３６、３６を設け、該ループの下端３７、３７が初期状態において互いに接触しているように構成したものである。なお、本実施形態例において上記以外はすべて前記第５実施形態例（図１５〜図１９）と同じである。
【００５０】
上記のように初期状態で下端３７、３７が互いに接触したループ３６は、同じ力を加えてもループが閉じる方向に力を加えた場合には撓みが生じにくく、反対にループを開く方向に力を加えた場合には撓みが生じやすいという特徴がある。
【００５１】
本実施形態例をなすゴルフ練習具は上記のように構成されており、使用に際し、前記同様にボールを打撃するべく構えた状態からヘッドを後方に引いてテークバックをとった場合は、前記円弧状軌道Ｓの半径より軌条体のわん曲半径が大きいので、図２１に示すようにループ３６、３６が開く方向に傾動部材１３、１３ａが撓んで傾動するので、わずかな力で傾動し、従ってテークバック時に傾動部材を傾動させるための反力がそれほど大きく手元に伝わってこないという特徴を有している。また打撃後においてボールが軌条体に乗り上げた場合は図２２に示すようにループ３６、３６が閉じる方向に傾動部材が撓むので、ボール重量等による軌条体の前下がりの撓みが生じにくく、従ってボールに大きな制動力を作用させることができる。
【００５２】
なお、上記第６実施形態例では傾動部材に略円形のループを設けた構成例を述べたが、同様の作用効果を奏するループの形状は他にもいろいろなものが容易に考えられる。
【００５３】
また上記第６実施形態例ではループ３６の下端３７、３７が前記初期状態で接触しているように構成し、これによってテークバック時と打撃後における傾動部材のバネの強さを変えるようにした構成例を述べたが、ループ３６、３６は必ずしも初期状態で下端を接触させておく必要はなく初期状態においてループの下端を離間させておくこともできる。このように初期状態で下端を離間させたループは通常のようにテークバック時、打撃後共に柔らかいバネとして作用し、テークバック時には傾動部材を傾動させるための反力が手元に伝わって来ず、また打撃後は軌条体にボールが乗り上げたときの衝撃を和らげることができる。
【００５４】
〔第７実施形態例〕
図２３〜図２５は本発明の第７実施形態例を示す図で、図２３は前記同様に両側に設けられた２個の傾動部材のうち片側のみの傾動部材の周辺を示す部分斜視図、図２４、図２５は作動状態を示す側面図である。本実施形態例の場合も傾動部材は軌条体の中心線の両側に勝手反対のものが２個設けられているが、説明は片側の傾動部材のみについて行う。
本実施形態例においては、傾動部材１３は前記同様に上下方向に適度な弾性を有する厚さの薄いバネ鋼、リン青銅、樹脂等で構成され、図２３に示すように軌条体の長さ方向に所定の長さを有するように構成される。該傾動部材１３は図２３に示すように傾動上部材３８と傾動下部材３９を略重ね合わせるように前端の折り返し部４０で折り返して構成されており、傾動上部材３８の後端は前記同様に立ち上がり部３２を介してビス３３により前記打撃面当接体１０に固着されている。また傾動下部材３９の後端には軌条体幅方向内側に向けて突出した突出部４２が設けられ、該突出部４２と軌条体構成部材１ａはビス４１により固着されている。
【００５５】
本実施形態例は上記したように構成されており、使用に際して先ずヘッドを後方に引いてテークバックをとると、傾動部材１３、１３ａは概ね図２４に示すように傾動して弾性変形し、テークバック終了後の床面２８からの軌条体１の後部までの高さ寸法Ｈ３は、前記同様に床面からのヘッド１６１の高さ寸法より小さくなる。
【００５６】
つぎにヘッドを前方に振り出してボールを打撃するが、打撃後は軌条体とボールの重量で、傾動部材１３、１３ａは概ね図２５に示すように傾動して弾性変形し、打撃後における床面からの軌条体の高さ寸法を、違和感のない程度に低く抑えることができ、ボールが乗り上げた瞬間の軌条体への衝撃を和らげることもできる。なお、本実施形態例の場合は、傾動部材を弱いバネとして構成できるので、バネの強さを適切に選択することにより、打撃後において軌条体が床面から殆ど上昇せず、ヘッドの振り出しにつれて床面を擦りながら前方に移動し得るように構成することもできる。
【００５７】
〔第８実施形態例〕
図２６、図２７は本発明の第８実施形態例のゴルフ練習具を示す図であり、図２６は前記同様に両側に設けられた２個の傾動部材のうち片側のみの傾動部材の周辺を示す部分斜視図、図２７は作動状態を示す側面図である。本実施形態例の場合も傾動部材は軌条体の中心線の両側に勝手反対のものが２個設けられているが、説明は片側の傾動部材のみについて行う。
上記図について説明すると、傾動部材１３はゴム、皮革、樹脂等のように可撓性、屈曲性を有する材料で構成され、該傾動部材１３の前部と後部には下面から上方に向けて所定の高さまで切れ目４３、４４が設けられている。該切れ目４３、４４は例えばカミソリの刃で切り込んだ切れ目のように実質的に隙間がない。傾動部材１３の後端面は基板９の前記打撃面当接体１０の側部から軌条体幅方向外側に向けて突出させた突出部４７の前面に接着剤４６により固着され、また傾動部材の前端部下面は軌条体構成部材１ａから軌条体幅方向外側に向けて突出させた前記同様の突出部３４の上面に接着剤４５により固着されている。なお、本実施形態例のものは図２６に示した初期状態で基板９の前部底面の接線と軌条体１の後部の接線の傾きは略等しくなるように構成され、この初期状態で軌条体１の後部上面は基板９の底面に接している。
【００５８】
上記のように構成された第８実施形態例の傾動部材１３は、図２６に示す初期状態からの基板に対する反時計方向の傾動は図２７に示すように切れ目４４が開くので小さな力で行い得るが、時計方向の傾動は切れ目４４が塞がれるので大きな力を必要とする。また、傾動部材１３に対する軌条体の傾動も、同図２７に示すように反時計方向には切れ目４３が開くので小さな力で行い得るが、時計方向の傾動は切れ目４３が塞がれるのて大きな力を必要とする。従って上記のように構成された本実施形態例も前記第６実施形態例（図２０〜図２２）と略同様の作用効果を奏するものである。
【００５９】
〔第９実施形態例〕
図２８、図２９は本発明の第９実施形態例を示す図で、図２８は前記同様に両側に設けられた２個の傾動部材のうち片側のみの傾動部材の周辺を示す部分斜視図、図２９は作動状態を示す側面図である。図２８に示すように本実施形態例の傾動部材は、前記第８実施形態例（図２６〜図２７）の傾動部材の切れ目４３、４４の間に、更に同様の切れ目４８を追加して設けたものである。このように３個の切れ目を設けた傾動部材は、テークバック時には図２９に示すように３個の切れ目が開いて小さな力で傾動するので、テークバック時に手元に伝わってくる傾動部材を傾動させるための反力をより一層少なくすることができる。
【００６０】
なお、上記のようにゴム、皮革、樹脂等のような可撓性や屈曲性を有する材料を用いて傾動部材を構成する場合、図３０に示すように前記同様の切れ目４９を傾動部材の略全長にわたり所定のピッチで多数個設けてもよい。このように構成したものは、テークバック時には、同図中に破線で示すように多数個の切れ目４９…が開いて前記同様の傾動が行われるので、テークバック時の反力が練習者の手元に殆ど伝わってこないという利点を有している。
【００６１】
また更に、上記したように傾動部材をゴム、皮革、樹脂等のような可撓性、屈曲性を有する材料を用いて構成する場合、前記切れ目は必ずしも必要ではなく、傾動部材の形状や寸法、材質等を適切に選択することにより、特に切れ目を設けなくても傾動部材自身の撓みにより該傾動部材を基板に対し前方が上下動する方向に傾動させることができ、また傾動部材に対しても軌条体を前方が上下動する方向に傾動させることができるので上記した実施形態例と同様の作用効果を奏させることができる。
【００６２】
〔第１０実施形態例〕
図３１は本発明の第１０実施形態例を示す図であり、同図は前記同様に両側に設けられた２個の傾動部材のうち片側のみの傾動部材の周辺を示す部分斜視図である。なお、本実施形態例の場合も傾動部材は軌条体の中心線の両側に勝手反対のものが２個設けられているが、説明は片側の傾動部材のみについて行う。
図３１について説明すると、軌条体の長さ方向に所定の長さを有する傾動部材１３は、前記同様にゴム、皮革、樹脂等のような可撓性、屈曲性を有する材料で構成され、該傾動部材１３は図示するように傾動上部材５０と傾動下部材５１を略重ね合わせるように前端の折り返し部５２で折り返して構成されている。傾動上部材５０の後端は立ち上がり部５４を介して接着剤４６により、打撃面当接体１０から外方に突出させた前記突出部４７に固着されている。また傾動下部材５１の後端には軌条体幅方向内側に向けて突出した突出部５３が設けられ、該突出部５３と軌条体構成部材１ａは接着剤４６により固着されている。
【００６３】
上記のように傾動部材を構成しても、ゴム、皮革、樹脂等の材料、形状を適切に選択することにより、テークバック、ヘッドの振り出し時には傾動部材が概ね前記第７実施形態例で述べた図２４、図２５のように撓んで変形し、この撓みによって傾動部材を基板に対し上下方向に傾動させることができ、また傾動部材に対しても軌条体を上下方向に傾動させることができるので、前記第７実施形態例（図２３〜図２５）と略同様の作用効果を奏させることができる。
【００６４】
〔第１１実施形態例〕
図３２は本発明の第１１実施形態例を示す図で、同図は前記同様両側に設けられた２個の傾動部材のうち片側のみの傾動部材の周辺を示す部分斜視図である。なお、本実施形態例の場合も傾動部材は軌条体の中心線の両側に勝手反対のものが２個設けられているが、説明は片側の傾動部材１３のみについて行う。図３２について説明すると、前記同様打撃面当接体１０から外方に突出させた前記突出部４７の前面には、接着剤４６により、ゴム、皮革、樹脂等のように屈曲可能な材料で形成された後部部材５５が固着されている。また、後部部材５５より所定寸法だけ前方に位置する前記軌条体構成部材の突出部３４には前記同様にゴム、皮革、樹脂等のように屈曲可能な材料で形成された前部部材５６が接着剤４６により固着されている。上記後部部材５５と前部部材５６は軌条体１に沿うように配置されたアーム部材５７で連結され、この連結は後部部材５５、前部部材５６に設けた孔にそれぞれアーム部材５７の後端部、前端部を所定寸法だけ差し込み、図示しない接着剤で固着して行われている。
【００６５】
本実施形態例の傾動部材は上記のように、アーム部材５７の後端が屈曲性を有する後部部材５５を介して基板９に連結され、また前端も屈曲性を有する前部部材５６を介して軌条体１に連結されているので、基板９に対するアーム部材５７の上下方向の傾動は後部部材５５の屈曲によって行うことができ、またアーム部材５７に対する軌条体１の上下方向の傾動も前部部材５６の屈曲によって行うことができるので、上記のように構成された傾動部材も前記第１実施形態例（図１〜図７）と同様の作用効果を奏する。
【００６６】
〔第１２実施形態例〕
図３３〜図３５は本発明の第１２実施形態例を示す図で、図３３は部分側面図、図３４は部分平面図、図３５は片側のみの傾動部材と基板、軌条体との関係を示す分解組立て斜視図である。本実施形態例は前記第１実施形態例と同様に、傾動部材１３、１３ａが基板９に対し前方が上下動する方向に傾動し、また該傾動部材に対し軌条体１も上下動する方向に傾動するように構成することに加えて、更に傾動部材の前方と後方にそれぞれ略高さ方向（ｙ方向）のヒンジピンを設け、基板９に対して軌条体１が幅方向（ｚ方向）にも自在に揺動できるようにし、練習時のスイングの不正を軌条体の幅方向の揺動によって視認できるようにしたものである。
【００６７】
本実施形態例の場合も、傾動部材１３、１３ａは図３４に示すように軌条体の中心線の両側にそれぞれ勝手反対の形状のものが設けられているが、説明は片側の傾動部材１３のみについて行う。上記図について説明すると、基板９に設けられたヒンジピン取り付けリブ１１に設けられたヒンジピン孔１２と、軌条体構成部材１ａに設けられたリブ部材６のヒンジピン孔７とは前記同様に傾動部材１３を介して連結される。該傾動部材１３は、アーム１４と、該アーム１４の前端部に設けられた前部ブロック５８と、後端部に設けられた後方部材６４より成る。前部ブロック５８にはｚ方向と略ｙ方向に直交する雌ネジ穴６０、５９がそれぞれ設けられ、雌ネジ穴６０には前記同様に軌条体構成部材１ａに設けられたリブの孔７に挿通したヒンジピンとしてのビス２０が適度に緩くねじ込まれ、雌ネジ孔６０とビス２０は接着剤により固着される。また前部ブロック５８の雌ネジ穴５９には、アーム１４の前端に設けた孔６２に挿通したビス６３が適度に緩くねじ込まれ、該雌ネジ孔５９とビス５６も接着剤により固着される。
【００６８】
上記傾動部材１３を構成する前記後方部材６４は、底部に前記同様のストッパー座１７を有し、立ち上がり部６５の上方にはヒンジピン孔６６が設けられる。また立ち上がり部６５の前方外側部には後部ブロック６７が接着剤７０により一体的に固着され、該後部ブロック６７の上面には雌ネジ孔６８が設けられている。該雌ネジ孔６８にはアーム１４後端の孔６９に挿通したビス７１が適度に緩くねじ込まれ、ビスと雌ネジ孔は前記同様に接着剤により固着される。また前記立ち上がり部の後方の孔６６と前記打撃面当接体１０に設けたヒンジピン孔１２には前記同様にヒンジピン１８が挿通され、ナット１９により適度に緩く締め付けた後、ヒンジピン１８とナット１９は接着剤により固着される。
【００６９】
上記のように構成された本実施形態例は、図３３の側面図に示すように、傾動部材１３は基板９に対し同図に示す初期状態から反時計方向にはヒンジピン１８を軸として傾動が自由に行い得るものの、時計方向の傾動は前記ストッパー１７が基板９の底面に当接しているので阻止される。また、傾動部材１３に対して、軌条体１はヒンジピン２０を軸として反時計方向の傾動は自由に行い得るものの、時計方向の傾動は軌条体１の後端が前記ストッパー座１７の下面に当接しているので阻止される。
【００７０】
そして更に、本実施形態例はビス７１、７１ａを軸として傾動部材１３、１３ａが略並行を保ったままで基板に対し軌条体の幅方向にも傾動が可能であり、また軌条体１が傾動部材１３、１３ａに対し、ビス６３、６３ａを軸として幅方向に傾動が可能であることから、図３４に破線で示すように基板９の中心線に対し軌条体１は幅方向に揺動することができる。この揺動は上記ヒンジピン１８、１８ａを軸とした基板に対する傾動部材の傾動、及びビス２０、２０ａを軸とした傾動部材に対する軌条体の傾動途上、すなわちボールを打撃するためのスイング途上にも行い得る。
【００７１】
以上のことから本実施形態例のゴルフ練習具は打撃練習に際し、不正なスイングを行った場合にはスイング途上において基板の中心線と軌条体の中心線が幅方向にずれるので、練習者は不正なスイングを眼下に視認することができる。
【００７２】
すなわち、打撃に先だって軌条体の中心線を打撃目標線に見立て、該中心線と基板の中心線（ヘッドの中心線）が上方から見て一線上にあるように構え、ヘッドを目標方向に真っすぐスイングするが、このスイング途上にヘッド中心線が軌条体の中心線から幅方向に逸脱することなく、正しくスイングされた場合は傾動部材の前記幅方向の傾動は行われず、ヘッド振り出し後も両中心線は一致したままであり、練習者はそのスイングの正しさを視認することができる。しかしながら、テークバックからボール打撃に至る一連のスイング途上でヘッド中心線が上方から見て軌条体中心線から幅方向に逸脱した場合は、床面と該床面を擦っている軌条体との間に摩擦力があるので、傾動部材が幅方向に傾動してヘッド中心線が軌条体中心線からずれ、該ずれ量がそのまま打撃後軌条体が床面を離れた後の両中心線の食い違い量として残るので、ヘッドまで戻ってきたボール中心とヘッド中心線との食い違い寸法を見ることによって、練習者はスイングの不正、とりわけ軌条体が床面を離れる瞬間、すなわち打撃瞬間のヘッドの打撃目標線からの不正なずれ量を視認することができる。
【００７３】
なお、本実施形態例においては、上記のような基板に対する傾動部材の幅方向の自由な傾動を禁止し、これまで述べてきた実施形態例と同様に使用することもできる。このように傾動部材の幅方向の傾動を禁止するには図３３、図３５に示すように、傾動部材１３の前方に設けた孔１１４と前方ブロック５８に設けた雌ネジ孔１３５の中心を合致させて、該雌ネジ孔１３５に雄ネジ部を有する幅方向傾動禁止ピン１０６をねじ込めばよい。これにより基板に対する傾動部材の幅方向の傾動、傾動部材に対する軌条体の幅方向の傾動が共に禁じられ、このように禁じられた本実施形態例は前記第１実施形態例（図１〜図７）と同様の作用効果を奏する。
【００７４】
〔第１３実施形態例〕
図３６は本発明の第１３実施形態例を示す図で、片側の傾動部材１３の近傍のみを示す分解組立て斜視図である。本実施形態例の場合も傾動部材は軌条体中心線の両側にそれぞれ勝手反対のものが設けられているが、説明は片側のものについてのみ行う。傾動部材１３はバネ鋼、リン青銅、或いは樹脂等のような弾性を有する材料で形成され、図示するように軌条体長手方向に適度に長く形成されたアーム部材１４は高さ方向（ｙ方向）には所定の高さ寸法を有しながらも、軌条体幅方向（ｚ方向）には薄い厚さ寸法を有し、僅かな力で同図３６に破線で示すように軌条体幅方向に撓むように構成されている。傾動部材１３後端の下部には前記同様のストッパー座１７を有し、立ち上がり部７２の上部には前記同様にヒンジピン孔１６が設けられる。該ヒンジピン孔１６の前方（ｘ方向）には所定長さのアーム部材１４が軌条体長手方向に一体的に延設され、その前端にはヒンジピン孔１５が設けられている。
【００７５】
軌条体構成部材１ａ後方寄りには前記同様にヒンジピン孔７を有するリブ部材６が設けられ、傾動部材１３の前端は軌条体の後方寄りに連結される。この連結は前記同様傾動部材の前端のヒンジピン孔１５と前記リブ部材の孔７にヒンジピン２０を挿入してナット２１を緩くねじ込み、ビスとナットを接着剤で固着することによって行われる。
【００７６】
また傾動部材の後方はヒンジピン１８により基板９に連結される。この連結も前記同様に傾動部材の後部に設けたヒンジピン孔１６と基板９のヒンジピン孔１２に挿入されたヒンジピン１８にナット１９を緩くねじ込み、ビスとナットを接着剤で固着することによって行われる。
【００７７】
上記のように構成された本実施形態例の傾動部材１３、１３ａは上下方向（ｙ方向）には軌条体の重量やボール重量によっても変形しない適度な剛性を有しながらも、軌条体幅方向（ｚ方向）には僅かな力によっても撓み、この撓みによって軌条体の長手方向中心線と基板の同方向の中心線がずれるので、前記同様基板の中心線が軌条体中心線から逸脱するような不正なスイングを行った場合は、ボール打撃後、軌条体が床面を離れた後に傾動部材自身の復元力で軌条体だけが幅方向にゆらゆらと揺動する。従って練習者はこの揺動によって不正なスイングを眼下に視認することができる。
【００７８】
〔第１４実施形態例〕
図３７〜図４０は本発明の第１４実施形態例を示す図で、図３７は前記同様に初期状態を示す部分側面図、図３８は部分平面図、図３９は図３７のＧ―Ｇ断面図、図４０は傾動部材の近傍を示す分解組み立て斜視図である。本実施形態例は前記した各実施形態例のように、傾動部材を軌条体中心線の両側に設けず、上方から見て軌条体の略中心に１個だけ設けたものである。
【００７９】
上記図において、軌条体１の後方寄りには、２個の軌条体構成部材１ａ、１ａのそれぞれにビス７３ａ、７３ａで両端を固着されたトンネル状の連結部材７３が設けられ、該連結部材７３の略中央の上部にはｚ方向のヒンジピン孔７４を有するリブ部材７５が固着されている。また、基板９の前端に立設された打撃面当接体１０、１０ａは、その上端が略水平に前方に向けて折曲され、該折曲部７６の略中央には、ｚ方向のヒンジピン孔７７を有するリブ部材７８が立設されている。また前記折曲部７６の略中央部には所定長さだけ前方に向けて突出したストッパー座７９が設けられる。
【００８０】
１３は軌条体の長さ方向に所定の長さを有する傾動部材であり、該傾動部材１３を構成するアーム部材１４の前端と後端にはそれぞれヒンジピン孔８０、８１が設けられる。基板９と軌条体１は前記同様に傾動部材１３を介して連結される。この連結は傾動部材の前端のヒンジピン孔８０とヒンジピン孔７４に、ヒンジピンとしてのビス８２を挿通しナット８３を緩く締めた後ビスとナットを接着剤で固着すること、及び傾動部材１３の後端のヒンジピン孔８１とヒンジピン孔７７に、ヒンジピンとしてのビス８４を挿通しナット８５を緩く締めた後、同様にビスとナットを接着剤で固着することによって行われる。
【００８１】
上記のように構成された本実施形態例は、図３７に実線で示すようにボールを打撃するべく構えた初期状態から、傾動部材１３は基板９に対しヒンジピン８４を軸として破線で示すように反時計方向の傾動は自在であるが、時計方向の傾動は前記ストッパー座７９の上面に傾動部材の後方下面が接しているので阻止される。また、軌条体１も傾動部材１３に対しヒンジピン８２を軸として同図３７に実線で示した位置から反時計方向の傾動は自在であるが、時計方向の傾動は軌条体１の後端部上面が基板９に接しているので阻止される。
【００８２】
本実施形態例は上記のように構成されており、前記第１実施形態例と同様の作用効果を有する。なお本実施形態例においては、特に軌条体の長さ方向に所定の長さを有する傾動部材１３を上方から見て軌条体１の中心線と一致するように配置しているので、打撃練習に際し、傾動部材１３を上方から見た直線が床面に静止したボール２の中心を逸脱しないようにスイングするだけで、パッティングの規範とされる直線的な打法が習得できるという利点がある。
【００８３】
また、本実施形態例においては、傾動部材１３が１個であるため、該傾動部材を前記第１３実施形態例（図３６）で述べたように、鉛直方向（ｙ方向）には適度な剛性を有しながらも、軌条体１の幅方向（ｚ方向）には僅かな力で撓むように構成しておけば、スイングの不正を一層厳密に上方から視認できる。すなわち、前記第１３実施形態例（図３６）の場合は不正スイングをした場合、上方から見て、軌条体１の中心線と基板９の中心線は略平行を保ったまま軌条体幅方向にずれるだけであるが、本実施形態例の場合は傾動部材１３が１個であるため軌条体の中心線と基板の中心線が互いに交差するように撓んで折れ曲がるので、不正スイングが極めて視認しやすいという利点がある。
【００８４】
〔第１５実施形態例〕
図４１〜図５０は本発明の第１５実施形態例を示す図で、図４１は側面図、図４２は図４１のＩ―Ｉ断面図、図４３は前記同様片側のみの傾動部材の近傍を示す分解組立て斜視図、図４４は傾動角調節手段の作動を示す側面図、図４５は作動を示す側面図、図４６は傾動角調節手段の作動を示す側面図、図４７は作動を示す側面図、図４８、図４９は傾動角調節手段の作動を示す側面図、図５０は作動を示す側面図である。
【００８５】
本実施形態例は、基板すなわち取付け手段に対する傾動部材の上下方向の傾動角、及び傾動部材に対する軌条体の上下方向の傾動角をそれぞれ独立に調整し得る傾動角調節手段を設けたものである。これら傾動角調節手段は傾動部材１３、１３ａと共に軌条体の中心線の両側にそれぞれ勝手反対のものが設けられているが、説明は片側の傾動角調節手段及び傾動部材のみについて行う。
【００８６】
上記図について説明すれば、図４１に示すように本実施形態例も基板９と軌条体１は傾動部材１３を介して連結されており、該傾動部材の前端は前記同様にヒンジピン２０を介して軌条体の後方寄りに設けたリブ６に連結されている。また傾動部材１３の後端はヒンジピン１８を介して基板９に設けたヒンジピン取り付けリブ部材１１に連結されている。また本実施形態例では軌条体１の後端部は図４１に示すように基板９の前端部よりわずかに前方に位置しており、軌条体の所定位置には図４２に示すように２個の軌条体構成部材１ａ、１ａの間隔を保持するためのトンネル状の補強部材８６が設けられ、該補強部材によって２個の軌条体構成部材１ａ、１ａを連結している。８７、８７は補強部材８６を軌条体構成部材１ａ、１ａに固着するためのビスである。
【００８７】
傾動部材１３の後方には、基板９に対する傾動部材１３の傾動角を調節するための傾動部材傾動角調節手段８８が設けられている。該傾動部材傾動角調節手段８８は図４３にも示すように、傾動部材１３の後方に設けた孔８９と、円弧状長孔９１を有する円弧状調節部材９０と、長孔９１及び孔８９に挿通するビス９２とローレットナット９３とで構成される。
【００８８】
また更に、傾動部材１３の所定位置には該傾動部材１３に対する軌条体１の傾動角を調節するための軌条体傾動角調節手段９４が設けられている。該軌条体傾動角調節手段９４は図４３にも示すように、傾動部材１３の所定位置に設けられた孔９５と、片端に孔９６、他端に内側に向けてストッパーピン９７が固着された調節部材９８、及び傾動部材の孔９５と調節部材の孔９６に挿通し得るビス９９と、該ビス９９にネジ込み得るローレットナット１００で構成されている。
【００８９】
本実施形態例は以上のように構成されており、上記した傾動部材傾動角調節手段８８と軌条体傾動角調節手段９４を調節することにより、以下に述べる第１、第２、第３、第４の方法を用いて練習を行うことができ、練習者は各自の好みに合わせてボール打撃後の基板９に対する軌条体１の姿勢をいろいろに変化させることができる。
【００９０】
すなわち、先ず第１の方法で練習を行う場合は、使用に先立って傾動部材傾動角調節手段８８と軌条体傾動角調節手段９４を図４１に示すように調節する。すなわち図４１のような調節とは、基板前端の底面の接線と軌条体後端の接線が略同じ傾きを有している初期状態で、調節部材９０の下端１０１が打撃面当接体１０から外側に突出した前記突出部４７の前面に接し、且つ調節部材９８のストッパーピン９７が軌条体構成部材１ａ、１ａの上面に接している状態である。このための調節部材９０の調節はローレットナット９３を緩め、円弧状の長孔９１を用いて調節部材９０を所定の角度回転させ、再びローレットナット９３を強く締め、調節部材９０を傾動部材１３に固定することによって行われる。
また、調節部材９８の調節はローレットナット１００を緩め、調節部材をビス９９を軸として所定角回転させ、再びローレットナット１００を強く締めて、調節部材９８を傾動部材１３に固定することによって行われる。
【００９１】
上記のように調節された本実施形態例の傾動部材１３は、図４１に示す状態から基板９に対し、ヒンジピン１８を軸として反時計方向には傾動が可能であるが時計方向の傾動は調節部材９０の下端１０１が打撃面当接体１０の突出部４７の前面に当接しているので阻止される。また、軌条体１も図４１に示す状態から傾動部材１３に対しヒンジピン２０を軸として反時計方向には傾動は可能であるが、時計方向の傾動は調節部材９８のストッパーピン９７が軌条体構成部材１ａの上面に当接しているので阻止される。従って上記のように傾動部材傾動角調節手段８８及び軌条体傾動角調節手段９４を調節した本実施形態例は前記第１実施形態例（図１〜図７）と同様の作用効果を奏する。
【００９２】
つぎに、第２の方法により練習を行う場合は、使用に先だってローレットナット９３を緩め、図４４に示すように調節部材９０を反時計方向に所定角度回転し、再びローレットナット９３を締め付けて調節部材８０を傾動部材１３に固定する。これにより傾動部材１３は前記同様に反時計方向の傾動が可能であると共に、同図４４に破線で示す初期状態の位置から実線で示す位置までの角度θ１だけは時計方向の傾動が可能となり、それ以上の時計方向の傾動は調節部材９０の下端１０１と前記突出部４７との接触によって阻止される。
【００９３】
上記のように調節部材９０を調節した本実施形態例は、打撃練習に際し図４５に示すように傾動部材１３の基板９に対する時計方向の傾動の阻止が、ボール打撃の瞬間より遅れて起こるので、図４５に実線で示すように打撃後も軌条体が床面２８に接している時間が長くなり、打撃されたボール２が床面を転がる距離が長くなる。また、ヘッド振り出し後も同図４５に破線で示すようボール２が低い位置にある軌条体１上を転がるので実技に近い感じが得られ、違和感がないという利点がある。
【００９４】
つぎに第３の方法で練習を行う場合は、使用に先だって前記図４４に示したように傾動部材１３を初期状態から角度θ１だけ時計方向に傾動可能に調節部材９０を調節することに加えて、さらに図４６に示すように調節部材９８を回転し、ストッパーピン９７を所定寸法だけ上方に移動する。この調節は前記同様にローレットナット１００を緩めて調節部材９８を回転し、再びローレットナット１００を強く締め、調節部材９８を傾動部材１３と一体化させることによって行う。
【００９５】
上記の調節によって軌条体１は傾動部材１３に対し、同図４６に破線で示す調節以前の状態から実線で示す位置まで、傾動部材に対して角度θ２だけは時計方向の傾動が可能となり、それ以上の時計方向の傾動は、図示するように軌条体構成部材１ａの上面がストッパーピン９７に当接しているので阻止される。
【００９６】
上記のように調節部材９０、９８を調節した本実施形態例は、前記第２の方法に較べ、図４７に示すようにボール打撃後も軌条体が床面２８に接している時間が更に長くなり、打撃されたボール２が床面を転がる距離がより一層長くなる。また、ヘッド振り出し後もボールが低い位置にある軌条体上を転がるので実技に近い感じが得られ、違和感が一層少なくなるという利点がある。
【００９７】
つぎに第４の方法で練習を行う場合は、使用に先だって前記同様ローレットナット９３を緩め、調節部材９０を傾動部材１３に対し図４８に示す位置まで反時計方向に回転し、再びローレットナット９３を強く締めて固定する。これにより、傾動部材１３は基板９に対し、同図４８に破線で示した前記初期状態の位置から実線の位置まで時計方向の傾動が可能となり、これによって傾動部材１３は基板９に対し必要な範囲で時計方向にも反時計方向にも自由に傾動可能となる。
【００９８】
つぎに、ローレットナット１００を緩め、図４９に示すように調節部材９８を時計方向に回転させ、ストッパーピン９７を前記ヒンジピン２０の略真上近傍に位置させたところでローレットナット１００を締め、調節部材９８を傾動部材１３に固定する。上記のように調節部材９８を調節することにより、軌条体１は同図に破線で示した傾動部材に対する初期状態の位置から、実線で示す位置まで時計方向にも角度θ３だけ傾動可能となる。
【００９９】
上記のように調節部材９０、９８を調節した本実施形態例の傾動部材１３は基板に対し必要な範囲で時計方向にも反時計方向にも自由に傾動でき、また軌条体も傾動部材に対して時計方向にも反時計方向にも自由に傾動できる。以上のことから、上記のように調節部材９０、９８を調節した本実施形態例は軌条体のわん曲形状、傾動部材の長さ等を適切に選択することにより、練習に際しては以下に述べるように、ヘッドで打撃したボールを軌条体に接触させることなく、軌条体の先端まで床面を転がして到達させることができる。
【０１００】
すなわち、先ずボールを打撃するべく構えた状態からヘッドを後方に引いてテークバックをとり、ヘッドを前方に振り出してボールを打撃するまでは前記第１実施形態例の場合と略同じであるが、ボール打撃後も基板に対する傾動部材の時計方向の傾動が阻止されることがなく、また傾動部材に対する軌条体１の時計方向の傾動も阻止されることがないので、図５０に示すように打撃後ヘッド１６１が前記円弧状軌道Ｓに沿って上昇し、そのヘッドの位置が位置Ｒ１、Ｒ２、Ｒ３に進むにつれ、軌条体１はその底部の接する床面の位置を点Ｐ１、Ｐ２、Ｐ３と前方に移動し、床面２８上を転がっているボールの前方の軌条体を降下させつづける。この降下によって、転走するボールの位置における床面から軌条体までの高さ寸法はボールが軌条体に乗り上げるほどの高さ（図３の寸法ａ）には達せず、従ってボールは軌条体に接触することなく軌条体の先端近くまで床面上を転走する。
【０１０１】
軌条体１の先端近くまで転走したボールは軌条体に乗り上げるか、またはストッパー部材４に衝突して失速する。失速後はヘッドを初期の位置に引き戻すことにより、ボールは床面を転がったり、軌条体の乗り上げたりしながら軌条体の外へ出ることなくヘッドの近くまで戻ってくる。
【０１０２】
本実施形態例は以上に述べたようなものであり、傾動部材傾動角調節手段８８、及び軌条体傾動角調節手段９４をいろいろに調節することにより、練習者は打撃後の基板９に対する軌条体１の姿勢等を各自の好みに合わせて変えることができる。
【０１０３】
なお上記の説明では、傾動部材傾動角調節手段８８、及び軌条体傾動角調節手段９４は、基板９に対する傾動部材１３の傾動角、及び傾動部材１３に対する軌条体１の傾動角をそれぞれ、所定の範囲で無段階に調節できる構成のものを述べたが、これら傾動部材傾動角調節手段８８、及び軌条体傾動角調節手段９４による基板に対する傾動部材の傾動角、及び傾動部材に対する軌条体の傾動角の調節は、例えば孔とピンを嵌め合わせる等の構成を用いて、段階的に調節し得るような構成とすることもできる。
【０１０４】
また上記した本実施形態例では、傾動部材傾動角調節手段８８、及び軌条体傾動角調節手段９４の両方を具備した構成を述べたが、これらの傾動角調節手段は必ずしも両方が必要ではなく、軌条体長手方向の傾動部材の長さ、軌条体のわん曲形状等を適切に選択することによって、いずれか一方の傾動角調節手段だけでも類似の作用効果を奏させることができる。
【０１０５】
また上記説明では傾動部材傾動角調節手段８８、及び軌条体傾動角調節手段９４は軌条体１の中心線の両側に勝手反対のものを２個設けた述べたが、これら傾動角調節手段はいずれか一方の側だけでもよいことは明らかである。
【０１０６】
〔第１６実施形態例〕
図５１〜図５３は本発明の第１６実施形態例を示す図で、図５１は側面図、図５２、図５３は作動を模式的に示した側面図である。図５１において、軌条体１のわん曲半径は多くの練習者がパターをスイングしたときにヘッド１６１の底部が描く円弧状軌道Ｓの半径より適量小さい。本実施形態例では図５１に示すように、基板９の前端部の接線と軌条体１の後端部の接線とが略同じ傾きを有し、軌条体１の後端部が基板９の底面に接した状態で、傾動部材１３、１３ａの後部に下方に向けて突出したストッパー部材１０２、１０２ａの後端と前記打撃面当接体１０、１０ａの前面との間に隙間ｆを設けている。
【０１０７】
このように隙間ｆを設けることにより、本実施形態例では軌条体１は基板９に対し、反時計方向の傾動が可能であると共に、実線で示した初期状態から破線で示す位置までのある角度は時計方向の傾動も可能となり、それ以上の時計方向の傾動はストッパー部材１０２、１０２ａが打撃面当接体１０、１０ａに当接するので阻止される。なお、上記以外は前記第１実施形態例（図１〜図７）と略同じである。
【０１０８】
上記のように構成された本実施形態例の作用を図５２、図５３に基づいて説明する。まず、前記同様に構えた初期状態から図５２に示すようにテークバックをとると、軌条体１のわん曲半径がスイング時の円弧状軌道Ｓの半径より小さいので、軌条体はヒンジピン１８を軸として、ヘッドに対しては前記した或る角度だけ時計方向に傾動する。そして、テークバック終了時には軌条体の底部は床面２８と点Ｑで接し、このとき、静止しているボール２の位置における床面から軌条体までの高さ寸法はｃ５となる。
【０１０９】
しかしながら、上記寸法ｃ５は通常の範囲では円弧状軌道Ｓの半径がどのような寸法であっても常に前記図３で示した寸法ａより小さくなり、従って軌条体１をボール２に接触させることなくテークバックをとることができる。
【０１１０】
つぎに、ヘッド１６１を前方に振り出してボール２を打撃するが、この場合、ボールを打撃する瞬間までは、軌条体はヘッドに対して反時計方向に前記した或る角度だけ傾動して初期状態に戻り、打撃後は図５３に実線で示した位置までは前記或る角度だけ時計方向に傾動した後、前記打撃面当接体１０、１０ａとストッパー部材１０２、１０２ａの接触によって同方向の傾動を阻止され、その後は軌条体は同図５３に破線で示すように床面２８を離れて円弧状軌道Ｓに沿って上昇する。
【０１１１】
打撃されたボール２は前記同様に軌条体１に乗り上げて制動される。本実施形態例の場合は、基板９に対する軌条体１の時計方向の傾動の阻止が打撃の瞬間よりやや遅れて起こるので、打撃後も長い時間軌条体が低い位置にあり、従って打撃されたボール２が床面２８を転がる距離が長くなる。
【０１１２】
なお、本実施形態例の場合は、基板に対して軌条体が反時計方向にも傾動可能な構造になっているので、前記第１実施形態例（図１〜図７）のように軌条体１のわん曲半径が円弧状軌道Ｓより大きい場合にも適用することができ、この場合は打撃されたボールが床面を転がる距離が一層長くなる。
【０１１３】
〔第１７実施形態例〕
図５４〜図６１は本発明ゴルフ練習具の第１７実施形態例を示す図で、図５４は側面図、図５５は平面図、図５６、図５７は一部分を示す斜視図、図５８は片側だけの傾動部材後部周辺を示す分解斜視図、図５９〜図６１は作動を説明する側面図である。
【０１１４】
本実施形態例は軌条体を直線状に構成し、該直線状に構成した軌条体がテークバック、振り出し等一連の打撃動作時に床面を摺りながら前後に移動するようにし、打撃後のボールが先端のストッパーまで確実に床面上を転がって到達するようにしたものである。
【０１１５】
上記図について説明すると、基板９の前方には床面２８上に略平行に載置された２個の軌条体構成部材１ａ、１ａから成る直線状の軌条体１が配置され、該軌条体と基板９は前記同様に傾動部材１３、１３ａを介して連結されている。１８、１８ａは前記同様基板９の先端と傾動部材１３、１３ａの後端を連結するヒンジピンであり、２０、２０ａは前記同様傾動部材１３、１３ａの先端と軌条体１を連結するヒンジピンである。
【０１１６】
軌条体構成部材１ａ、１ａの後端は図５４、図５５に示すように基板９の幅の広い部分より後方まで延長して設けられ、その後端部にはテークバック時の後方移動に際し床面に引っ掛からないように上方に向けたわん曲部５ａ、５ａが図５６に示すように設けられている。また、該わん曲部５ａ、５ａより適当寸法だけ前方には、同図５６にも示すように２個の軌条体構成部材１ａ、１ａを一体的に連結した前記同様の間隔保持部材５が設けられている。軌条体１の先端は図５７にも示すように床面に引っ掛からないように上方に向けたわん曲部が設けられ、該わん曲部の上端は２個の軌条体構成部材１ａ、１ａを接続する接続部材４ａが設けられている。また、該接続部材の後面にはストッパー４が接着剤４６により固着されている。このストッパー４は後方から衝突するボールの形状に合わせて後方が円弧状に開いた凹部を有しており、この円弧の半径は平面視でボール２の半径より適量大きい寸法に形成されている。
【０１１７】
傾動部材１３、１３ａの後端には図５８にも示すように下方に向けて突出した突出部１０２ａ、１０２ａが設けられ、該突出部の下端にはそれぞれ幅方向内側に向けて折り曲げた傾動ストッパー１０２ｂ、１０２ｂが設けられている。該傾動ストッパー１０２ｂ、１０２ｂの後端と打撃面当接体１０、１０ａとの間には、ボールを打撃するべく構えた図５４の初期状態で寸法ｇの隙間を有している。上記のように構成された傾動部材１３、１３ａは、基板９に対しヒンジピン１８、１８ａを軸とした初期状態からの反時計方向の傾動は自由であるが、初期状態からの時計方向の傾動は、上記隙間寸法ｇに見合った角度だけは許容されるものの、それ以上の時計方向の傾動は前記傾動ストッパー１０２ｂ、１０２ｂと打撃面当接体１０、１０ａとの接触によって阻止される。
【０１１８】
本実施形態例は以上のように構成されており、打撃練習に際しては図５４、図５５に示すように軌条体１を床面２８上に載置し、その中央の床面上にボール２を置いて、打撃するべく構える。つぎに図５９に示すようにヘッド１６１を後方に引いてテークバックをとると、傾動部材１３、１３ａは前記同様に基板９に対してはヒンジピン１８、１８ａを軸にして反時計方向に傾動しながら軌条体１を後方に引く。引かれた軌条体１はボールに接触することなく床面２８を摺りながら後方に移動する。
【０１１９】
つぎに、ヘッドを前方に振り出してボールを打撃するが、打撃の瞬間までは前記テークバック時とは逆の過程をたどるだけであり、傾動部材１３、１３ａは基板９に対しては時計方向に傾動しながら軌条体１を前方に押し、図５４の状態に戻ってボール２を打撃する。打撃後は基板９はヘッドと共に円弧状軌道Ｓに沿って上昇するが、傾動部材１３、１３ａは基板９に対し時計方向に傾動しながら軌条体１を前方に押し続け、押された軌条体１は床面２８を摺りながら前方に移動する。一方、打撃されたボールは前方に向けて２個の軌条体構成部材１ａ、１ａの間の床面２８を転がって軌条体先端のストッパー４に衝突して床面上に停止する。また、上記打撃のためのヘッドの振り出しは図６０に示す振り出し終了まで続き、この振り出し終了状態では同図６０に示すように前記傾動ストッパー１０２ｂ、１０２ｂと打撃面当接体１０、１０ａとの間には寸法ｋの隙間が残っている。すなわち前記傾動ストッパー１０２ｂ、１０２ｂと打撃面当接体１０、１０ａとの間に設けた隙間寸法ｇは、多くの練習者がパッティング練習に際し通常の範囲でヘッド振り出す場合に傾動部材１３、１３ａが基板９に対して時計方向に傾動するのを阻害することのない寸法に設定されている。
【０１２０】
つぎに打撃後のボールをヘッドまで戻してくるには、図６０に示した振り出し終了の状態からシャフト１６３を更に反時計方向に傾け、図６１に示すように傾動ストッパー１０２ｂ、１０２ｂと打撃面当接体１０、１０ａを接触させて、それ以上傾動部材が基板に対して時計方向に傾動するのをを禁じ、シャフト１６３を適当な高さまで持ち上げる。これにより軌条体１は、その重心がヒンジピン２０、２０より前方にあるので、後端が図示のように基板９に接触するまでヒンジピン２０、２０ａを軸として時計方向に傾動し、それ以上の時計方向の傾動を禁じられる。上記のように傾動部材と軌条体が基板に対し前下がりに傾動するのを禁じた状態で、軌条体１が後方下がりの勾配を持つまで更にシャフト１６３を反時計方向に適当角度だけ傾ける。これにより軌条体先端に停止していたボール２は軌条体に持ち上げられ、２個の軌条体構成部材１ａ、１ａに跨がったまま、下り勾配に沿って転がりながらヘッドまで戻ってくる。
【０１２１】
本実施形態例の構成ならびに作用は以上に述べたようなものであり、本構成例によれば、テークバック、振り出し等一連の動作時に軌条体１が絶えず床面を摺りながら前後に移動し、打撃されたボールも軌条体先端まで確実に床面上を転がるので、軌条体及びボールの重量が練習者の手元に伝わってこないという大きな利点を有している。そしてこのように軌条体、ボールの重量が手元に伝わってこないため軌条体を前記したいろいろな実施形態例に較べてはるかに長くできるというきわめて効果的な特徴を有している。また打撃後においてボールが軌条体に乗り上げることがなく、従ってボールが軌条体に及ぼす衝撃力等がないので軌条体の強度を必要とせず、軌条体を細い材料で極めて安価に製造できるという大きな特徴を有している。
【０１２２】
〔第１８実施形態例〕
図６２〜図６８は本発明の第１８実施形態例を示す図で、図６２は側面図、図６３は図６２の一部分を拡大した側面図、図６４は図６３の平面図、図６５は作動状態を示す側面図、図６６は傾動部材傾動角調節手段の作動状態を示す側面図、図６７は軌条体傾動角調節手段の作動状態を示す側面図、図６８は作動状態を示す側面図である。
【０１２３】
本実施形態例は、前記した各実施形態例と異なり、軌条体１の重心がヒンジピン２０、２０ａより後方に位置している。なお、本実施形態例の場合も傾動部材、傾動部材傾動角調節手段、軌条体傾動角調節手段は軌条体中心線の両側にそれぞれ勝手反対のものが設けられているが、説明は片側のみについて行う。本実施形態例を上記図に基づいて説明すると、先ず図６２に示すようにボールを打撃するべく構えた初期状態において、基板前端に設けた打撃面当接体１０と軌条体１は前記同様にヒンジピン１８、２０を介して傾動部材１３で連結されている。なお、ヒンジピン２０は上記したように軌条体１の重心より前方に位置している。傾動部材１３の後部には前記第１５実施形態例（図４１〜図５０）で示した傾動部材傾動角調節手段８８が設けられ、図６２に示す初期状態で調節部材９０の下端１０１は打撃面当接体の前記突出部４７に接している。従って傾動部材１３は基板９に対し同図６２に示した状態から反時計方向の傾動は自由に行い得るものの、時計方向の傾動は阻止されている。
【０１２４】
また、傾動部材１３の前部には図６３の拡大図にも示すように軌条体傾動角調節手段１０５が設けられ、該軌条体傾動角調節手段１０５は一端に軌条体幅方向内側に向けて突出したストッパーピン１０４を有する円弧状の調節部材１０３と、該調節部材１０３を前記同様に傾動部材１３に取り付けるためのビス９９及びローレットナット１００とで構成される。なお、前記調節部材のストッパーピン１０４は図６２に示す初期状態において、軌条体構成部材１ａの上面と適量の隙間を有するようにローレットナット１００を締め付けて傾動部材１３と一体的に固定されており、この適量の隙間を有することによって、軌条体１は図６２、図６３に実線で示す初期状態からヒンジピン２０を軸として角度θ４だけは反時計方向に傾動することができるものの、それ以上の反時計方向の傾動は軌条体構成部材１ａの上面がストッパーピン１０４に接触するので阻止される。
【０１２５】
本実施形態例は以上のように構成されており、調節部材９０、１０３を調節することにより以下に述べるように種々の方法で打撃練習が行える。まず、第１の使用方法で打撃練習を行う場合は、前記図６２に示すように調節部材９０、１０３を調節した後、ヘッド１６１を後方に引いてテークバックをとると、前記同様に傾動部材１３は基板９に対して反時計方向に傾動し、同時に軌条体１も傾動部材１３に対して前記角度θ４だけ反時計方向に傾動してテークバックを終了する。つぎにヘッドを前方に振り出してボールを打撃する。この打撃と同時に基板に対する傾動部材の時計方向の傾動は調節部材９０の下端１０１が打撃面当接体の前記突出部４７に接触するので阻止されるが、軌条体１は傾動部材１３に対し角度θ４だけ反時計方向に傾動した後、それ以上の反時計方向の傾動をストッパーピン１０４によって阻止され、図６５に示すように円弧状軌道Ｓに沿ってそのまま上昇する。打撃されたボールが軌条体に乗り上げた後、制動されてヘッドまで戻ってくるのは前記第１実施形態例と同じである。
【０１２６】
つぎに、本実施形態例の第２の使用方法で練習を行う場合は、使用に先だって、調節部材９０を図６６に示すように調節し、傾動部材１３を前記初期状態から時計方向にも角度θ５だけ傾動し得るようにする。更に調節部材１０３を図６７に示すように回転して再び固定し、軌条体１を前記初期状態から傾動部材１３に対し角度θ６だけ反時計方向に傾動し得るようにする。
【０１２７】
上記のように調節部材９０、１０３を調節した本実施形態例は、前記同様にヘッドを後方に引いてテークバックをとり、ヘッドを前方に振り出してボールを打撃することが可能であり、図６８に実線で示すようにボール打撃後パターのシャフト１６３を初期に構えた状態から或る角度振り出されるまでは軌条体１の後部が床面２８に接したまま前方に移動し、その後は同図６８に破線で示すように円弧状軌道Ｓに沿って上昇する。そしてこの第２の使用方法によれば、ヘッド振り出し後の軌条体１を殆ど床面２８すれすれに前方移動させることができ実技に似た違和感のない打撃練習を行うことができる。
【０１２８】
本実施形態例は以上に述べたようなものであり、軌条体１のわん曲形状、傾動部材１３の長さ等が適切に選択されている場合、練習者は各自の打法に合わせて前記調節部材を調節し、好みに合わせて打撃後の軌条体の挙動を自由に変えられるという特徴を有している。
【０１２９】
なお、上記した本実施形態例では調節部材９０、調節部材１０３の両方を具備した構成例を述べたが、これら調節部材は必ずしも必要というわけではなく、これら調節部材は９０、１０３のうちのいずれか片方のみでもよいし、さらには両方とも設けなくてもよい。
【０１３０】
すなわち、
▲１▼調節部材９０、調節部材１０３の両方とも設けない場合は図６９に示すようにボール打撃後、傾動部材１３は基板９に対し時計方向に傾動しながら軌条体１を前方に押し、押された軌条体は床面２８を離れることなく前方に移動する。打撃されたボールは軌条体に接触することなく先端まで転がるか、又は途中から前記同様に軌条体に乗り上げる。
【０１３１】
つぎに、
▲２▼調節部材９０、調節部材１０３の両方を設けない場合であって、傾動部材１３を、前記第１実施形態例（図１〜図７）のように下部にストッパー座１７を有するように構成した場合は、ボール打撃後、軌条体を図７０に示す位置、すなわち軌条体後部の接線と床面のなす角度が過度に大きくならない範囲まではヘッド１６１を振り出すことができ、これまで述べた実施形態例と略同様に打撃練習を行い得る。
【０１３２】
また、
▲３▼調節部材１０３を設けず、調節部材９０のみを設け、該調節部材９０を初期状態から基板に対し所定の角度だけ時計方向にも傾動可能に調節した場合は、図７１に示すようにボール打撃後、傾動部材１３は基板に対し上記所定の角度までは時計方向に傾動しながら軌条体１を前方に押し、押された軌条体は床面２８を離れることなく前方に移動する。打撃されたボールは軌条体に接触することなく先端までころがるか、或いは途中から前記同様に軌条体に乗り上げる。
【０１３３】
更に、
▲４▼ 調節部材９０を設けず、調節部材１０３のみを設け、該調節部材１０３を初期状態から基板に対し前記したテークバックに必要な角度θ４だけ反時計方向に傾動可能に調節しておいた場合は、図７２に示すようにボール打撃後、傾動部材は基板に対し時計方向に傾動しながら軌条体１を前方に押し、押された軌条体は床面２８を離れることなく前方に移動するが、この前方移動に際し、軌条体は傾動部材に対し前記角度θ４以上は反時計方向に傾動できないので、ヘッドの振り出しが進むにつれ、軌条体は床面に接したまま、前方を下げるように（すなわち床面に対しては時計方向に傾動しながら）前方に移動する。従ってこの場合は軌条体のわん曲形状、傾動部材の長さ、前記テークバックに必要な角度θ４等を適切に選択することにより、前記図５０で示した場合のように、打撃されたボールを軌条体に接触させることなく床面を転がして軌条体の先端まで到達させることができる。
【０１３４】
なお、本実施形態例のように軌条体１の重心がヒンジピン２０、２０ａより後方にある場合、スプリング機構等を用いて傾動部材に対して軌条体に常に時計方向の回転力を付与しておくこともできる。このように付勢する方法としては、例えばヒンジピン２０、２０ａの周りに適当な強さのトーションスプリングを設けることができ、このように付勢した場合は、ボール打撃後も軌条体の後方が垂れ下がることがないので、前記実施形態例と同様な作用効果を奏する。
【０１３５】
〔第１９実施形態例〕
図７３、図７４は第１９実施形態例のゴルフ練習具を示す図で、図７３は一部分を示す側面図、図７４は部分平面図である。上記図に基づいて本実施形態例を説明すると、基板９には前後に支持部材１０７、１０８が立設され、これら支持部材にはｘ方向一線上に孔１０９、１１０が設けられている。１１１は基板９をパターのヘッド１６１に取り付けるための支持ピンであり、該支持ピンの前方には小径の雄ネジが、また後端にはローレットつまみ部が設けられている。
【０１３６】
支持ピンの前方には止め輪１１２が設けられ、該止め輪１１２の後面からローレットつまみ部までの寸法は支持部材１０７、１０８の間隔と略同じである。基板９の前方は二股状に分かれ、その前端に設けらた立ち上がり部１１３、１１３ａには前記同様にヒンジピン取り付けリブ部材１１、１１ａが設けられる。１３、１３ａは前記同様の傾動部材、１８、１８ａはヒンジピンである。支持部材１０７、１０８の孔１０９、１１０には支持ピン１１１が回転可能に挿入され、抜け出し防止の止め輪１１２が支持ピン１１１に設けられた溝に嵌め合わされている。
【０１３７】
上記のように構成された基板９と軌条体１は、支持ピン１１１前端の小径雄ネジ部をパターのヘッド１６１の後面に設けられた雌ネジ止まり穴にねじ込むことによってヘッドに取り付け固定する。このように取り付けた状態で前記立ち上がり部１１３、１１３ａとヘッド打撃面１６２との間には、図７３にも示すように適量の隙間が設けられている。本実施形態例において上記以外は前記第１実施形態例（図１〜図７）と同じである。
【０１３８】
本実施形態例は上記のように構成されており、上記第１実施形態例（図１〜図７）と同様な作用効果を奏する。そして特に、本実施形態例ではパター１６０のヘッド１６１に取り付けられた状態で、支持ピン１１１を軸にして、基板９と軌条体１が適当角度だけ自由に回転できるので、床面２８に軌条体を接触させるだけで、軌条体１と基板９がパターのヘッド１６１に対して自動的に回転するので、練習者が固有の構え角で構えても、２個の軌条体構成部材１ａ、１ａのうちの一方だけが床面２８に接し、他方が床面から浮き上がるという、いわゆる片当たりによる不具合を解消できる。
【０１３９】
〔第２０実施形態例〕
図７５は本発明の第２０実施形態例のゴルフ練習具を示す部分側面図である。本実施形態例はヘッドの後部が略垂直に形成されたパターのヘッドに取付けることができるようにしたものである。同図７５において、１１５は上部にはｘ方向に貫通した雌ネジ孔１１６を、また下面には雌ネジ穴１１７を有する押圧用支持部材であり、前記雌ネジ孔１１６には、後端部にローレットつまみ１１８、また前端部には押圧座金１１９を設けた押ネジ１２０がねじ込まれる。また、押圧用支持部材１１５は基板９に複数個設けられた孔の下方から挿入したビス１２１を前記雌ネジ孔１１７にねじ込むことによって複数個の孔のいずれの位置にも取り付けることができる。
【０１４０】
本実施形態例のゴルフ練習具は上記のように構成されており、前記形状のパターのヘッド１６１に取り付けるには、押圧用支持部材１１５を基板９に取り付けた後、ヘッドの打撃面１６２を基板９に設けた打撃面当接体１０、１０ａに宛てがい、ヘッド１６１の底面を基板９の両側部にのせる。つぎにローレットつまみ１１８を介して押ネジ１２０を回し、押圧座金１１９を介してヘッドを押圧する。これによりヘッド１６１は押圧座金１１９と打撃面当接体１０、１０ａに挟まれて摩擦固定される。なお、本実施形態例において上記以外は前記第１実施形態例（図１〜図７）と同じである。
【０１４１】
〔第２１実施形態例〕
図７６は本発明の第２１実施形態例のゴルフ練習具の一部分を示す分解斜視図であり、本実施形態例ではパターのシヤフト１６３に基板９及び軌条体１を取り付けるようにしたものである。同図７６において、１２２ａ、１２２ｂは締め付けビス１２２ｃ、１２２ｃにより着脱自在にパターのシヤフト１６３に締め付け固定できる二つ割りクランプ１２２のクランプ片、１２３はクランプ片１２２ａの後方にｘ方向に固着された軸、１２５は軸１２３に回動、摺動自在に遊嵌された筒状部材１２４を軸１２３に固着するための押ネジ、１２６は筒状部材１２４の下方に固着され、その下辺がｚ方向に伸びる逆Ｌ字状部材である。
【０１４２】
また１２７は該逆Ｌ字状部材１２６の下辺に回動摺動可能に遊嵌され下方にｘ方向の孔１２８を有する板状部材１２９が固着された筒状部材、１３０は筒状部材１２７を逆Ｌ字状部材１２６に固着するための押ネジ、９はヘッド１６１の底部に配置され前方が二股状に開いた二股状の基板、１３１はｘ方向の孔１３２を有し二股状の基板９の後方に立設された板状部材、１３３は板状部材１３１と板状部材１２９を固定するためのビス、１３４はビス１３３に螺入されるナットである。
【０１４３】
上記ゴルフ練習具は、締付けビス１２２ｃ、１２２ｃを抜き、二つ割りクランプ１２２をシヤフト１６３から取り外すことができ、軌条体１を着脱自在にパター１６０に取り付けることができる構造となっている。なお、この取り付け構造によれば、ヘッド１６１に対する軌条体１のｙ、ｚ方向の調整が行え、更にナット１３４を緩め、軌条体１をビス１３３を軸にして回動することにより、軌条体１の幅方向（ｚ方向）とシヤフト１６３のなす角度を調整することができ、この調整を適正に行うことにより練習者がいかなる構え角で構えても、２個の軌条体構成部材１ａ、１ａのうちの一方だけが床面２８に接し、他方が床面から浮き上がるという、いわゆる片当たりによる不具合を解消できる。なお、本実施形態例において、上記以外は前記第１実施形態例（図１〜図７）と略同じである。
【０１４４】
〔第２２実施形態例〕
図７７、図７８は本発明の第２２実施形態例を示す図で、図７７は部分側面図、図７８は基板のみを示す斜視図である。本実施形態例では図示するように基板９はパターのヘッド１６１の底面にビス１３６…で取り付け得るように構成されている。該基板９は図７８に示すように軌条体１の幅方向に所定寸法だけ隔たった位置に独立して配置された２個の基板９ａ、９ｂで構成され、個々の基板９ａ、９ｂの前端にはそれぞれ前記同様の打撃面当接体１０、１０ａが立設されている。打撃面当接体１０、１０ａには前記同様のヒンジピン取り付けリブ部材１１、１１ａが設けられ、ヒンジピン取り付けリブ部材１１と一方の軌条体構成部材１ａとは前記同様にヒンジピン１８、２０、及び傾動部材１３を介して傾動可能に連結されている。また、ヒンジピン取り付けリブ部材１１ａと他方の軌条体構成部材１ａも前記同様にヒンジピン１８ａ、２０ａ、及び傾動部材１３ａを介して傾動可能に連結されている。なお、図７８において１３５…はビス１３６…を挿通する孔である。
【０１４５】
本実施形態例は上記のように構成されており、このように構成しても前記実施形態例と同様の作用効果を奏することは明らかである。なお、本実施形態例では基板９ａ、９ｂをパターのヘッド１６１に取り付けるためにビス１３６…を用いたが、こうした取り付けはビスに限らず、接着剤による接着、又は磁石等による吸引力を用いて取り付けることもできる。
【０１４６】
〔第２３実施形態例〕
図７９〜図８１は本発明の第２３実施形態例を示す図で、図７９は部分側面図、図８０は部分平面図、図８１は片側だけの傾動部材の後部周辺を示す分解組み立て斜視図である。本実施形態例がこれまでの実施形態例と異なるところは、基板を設けず、前記打撃面当接体１０、１０ａをパターのヘッド１６１の打撃面１６２に直接取り付けるように構成した点にある。
【０１４７】
上記図について説明すると、２個の打撃面当接体１０、１０ａにはそれぞれ孔１４０、１４０ａが設けられる。また２個の打撃面当接体１０、１０ａにはヒンジピン孔１２、１２ａを有するヒンジピン取り付けリブ部材１１、１１ａが前記同様に勝手反対に設けられている。軌条体１の後方寄りには前記同様にヒンジピン孔７、７ａを有するリブ部材６、６ａが設けられ、該リブ部材６、６ａと前記ヒンジピン取り付けリブ部材１１、１１ａとは前記同様にヒンジピン１８、１８ａ、傾動部材１３、１３ａ及びヒンジピン２０、２０ａを介して傾動可能に連結されている。傾動部材１３、１３ａの後部には図示するように下方に突出したストッパー部材１４２、１４２ａが設けられ、該ストッパー部材１４２、１４２ａの下端は軌条体幅方向内側に向けて折り曲げられた折曲部１３８、１３８ａを有している。
【０１４８】
上記のように構成された本実施形態例は図示するように前記孔１４０、１４０ａに挿通したビス１３９、１３９ａをヘッドの打撃面１６２にねじ込んでパターに取り付ける。なお、１４１、１４１ａはヘッドの打撃面１６２に設けられた雌ネジ孔である。
【０１４９】
上記のようにヘッドに取り付けた図７９に示す初期状態で、軌条体１の後端部の接線とヘッド底部の傾きは略等しく、傾動部材１３、１３ａは打撃面当接体１０、１０ａに対して前記同様に反時計方向の傾動は自在であるが、時計方向の傾動は前記折曲部１３８、１３８ａの後端と打撃面当接体１０、１０ａとの接触によって阻止されている。また、軌条体１も図７９に示す初期状態から傾動部材１３、１３ａに対して反時計方向の傾動は自在であるが、時計方向の傾動は軌条体の後端上面と前記折曲部１３８、１３８ａの下面との接触によって阻止されている。
【０１５０】
本実施形態例は上記のように構成されており、このように構成しても前記実施形態例と同様の作用効果を奏することは明らかである。なお、本構成によれば基板が設けられてないので軽量化できるという利点がある。
【０１５１】
図８２〜図８５は本発明のゴルフ練習具に用いる軌条体１の形状を示す側面図である。図８２に示す軌条体１は異なる半径のわん曲線を組み合わせたものである。また、図８３に示す軌条体１は略水平な直線状に構成されたものである。また、図８４に示す軌条体１は前方上がりの直線状に構成したものである。また、図８５に示す軌条体１は直線状に形成した軌条体の前方を前上がりにわん曲したものである。
【０１５２】
なお、本発明のゴルフ練習具では前記したように、基板に対して傾動部材が、その前方が上下動する方向に傾くこと、及び該傾動部材に対して、軌条体もその前方が上下動する方向に傾くことが必須要件である。そしてこの必須要件を満たすために前記実施形態例では、
▲１▼  基板と軌条体を剛性の高い傾動部材を介して連結し、基板に対する傾動部材の上記傾動、及び傾動部材に対する軌条体の上記傾動が、ヒンジピンを軸とした傾動（回動、揺動）によって行われるようにした構成例。
▲２▼  基板と軌条体を上下方向に適度な弾性を有する傾動部材を介して連結し、
（イ）基板に対する傾動部材の上記傾動が、傾動部材自身の撓みによって生じ  る該傾動部材後方の接線と前方の接線の傾きによって行われるようにし、
（ロ）傾動部材に対する軌条体の傾動は、上記傾動部材自身が撓んだ場合に生じる傾動部材後方の接線と軌条体の傾きによって行われる、
ようにした構成例。
▲３▼  基板と軌条体を上下方向に適度な可撓性、屈曲性を有する傾動部材を介して連結し、基板に対する傾動部材の上記傾動、傾動部材に対する軌条体の上記傾動がそれぞれ略上記した▲２▼（イ）、▲２▼（ロ）によって行われるようにした構成例。
▲４▼  基板と軌条体を剛性の高い傾動部材を介して連結するに際し、該傾動部材の後端と基板は屈曲性を有する屈曲部材を介して連結すると共に、連結部材の前端と軌条体は屈曲性を有する屈曲部材を介して連結し、
（イ）基板に対する傾動部材の上記傾動が、傾動部材後端の屈曲部材の屈曲によって行われ、
（ロ）傾動部材に対する軌条体の上記傾動が、傾動部材前端の屈曲部材の屈  曲によって行われる、
ようにした構成例。
など、基板に対する傾動部材の傾動、及び傾動部材に対する軌条体の傾動が、種々の異なる構成でも行ない得る例を述べた。しかしながら本発明においては、傾動部材が基板に対して前方が上下する方向に傾動し、また傾動部材に対して軌条体がその前方を上下する方向に傾動できればよいわけであるから、上記▲１▼に述べたヒンジピンを軸にして行われる傾動も、上記▲２▼に述べた弾性体の撓みによって生じる傾動も、また上記▲３▼に述べた屈曲部材の屈曲によって生じる傾動も、全て同じ傾動と見做されるべきものであり、従って本明細書中においては特許請求の範囲を含めて上記した傾動の全てを、単に傾動と記載している。
【０１５３】
また上記傾動を可能にする構成は前記各実施形態例のものに限定されるものではなく、屈曲性を有し適度な耐久性を備えた板状の樹脂、皮革、布、又は紙など種々のものを用いても容易に実施することができる。
【０１５４】
図８６は上記した種々の構成例のうち、特に板状の樹脂を用いて上記傾動を可能にする構成例を示す部分側面図であり、図８７は前記同様片側のみを示す平面図である。図８６、図８７について説明すると、前記同様基板に対し後部を傾動可能に連結された傾動部材１３のアーム部材１４の前端と軌条体構成部材１ａとは、屈曲性を有する所定厚さの樹脂板１４３を介して連結される。この連結は樹脂板１４３前部下面と軌条体構成部材１ａの前記突出部３４の上面、及び樹脂板１４３の後部上面とアーム部材１４の前端下面をそれぞれ接着剤４６で固着することによって行われている。
【０１５５】
上記のように構成されたものも、適当な力が加わることにより軌条体１は図８８に示すように二点鎖線で示す初期状態の位置から破線で示すように反時計方向にも傾動可能であり、また二点鎖線で示した初期状態から一点鎖線で示すように時計方向にも傾動することができる。従ってこのように構成しても前記した実施形態例の場合と同様の作用効果を奏することは明らかである。なお、図８６、図８７において樹脂板１４３に替えて適度な耐久性を備えた布または紙、或いは屈曲性を有する薄い皮革その他を使用しても同様の作用効果を奏するのは上述したとおりである。
【０１５６】
また、これまでの説明は例えば前記第１実施形態例（図１〜図７）のように、基板９に対する傾動部材１３、１３ａの傾動、及び該傾動部材に対する軌条体の傾動が二箇所のヒンジピン１８、１８ａ、２０、２０ａを軸にして行われる構成例を述べてきたが、これらヒンジピンは二箇所でなくても図８９に示すように三箇所であっても作用効果は略同じである。またそれ以上の箇所数であっても同じである。
【０１５７】
図８９について説明すると、傾動部材１３を構成するアーム部材１４の後部は前記同様にヒンジピン１８を介して基板９に連結され、前部はヒンジピン２０を介して軌条体１に連結されている。アーム部材１４は前部アーム１４５と後部アーム１４４から構成され、該前部アーム１４５と後部アーム１４４はヒンジピン１４６を介して傾動可能に連結されている。上記のように構成された後部アーム１４４は同図８９に示す初期状態から反時計方向には傾動可能であるが、時計方向の傾動は前記同様ストッパー座１７が基板９の底面に当接しているので阻止される。また前部アーム１４５は後部アーム１４４に対しヒンジピン１４６を軸として時計方向にも反時計方向にも傾動可能であり、軌条体１は前部アーム１４５に対しヒンジピン２０を軸として時計方向にも反時計方向にも傾動可能である。こうしたことから上記のように前部アームと後部アームから成る傾動部材を具備する本発明のゴルフ練習具も前記実施形態例と略同様の作用効果を奏することは明らかである。
【０１５８】
また更に、前記図８９に示すように構成された傾動部材１３には、同図中に一点鎖線で示すように、後部アーム１４４に対する前部アーム１４５の傾動角を調節することのできる前部アーム傾動角調節手段１５８を設けることもできる。該傾動角調節手段１５８は図示するように、一端に内側に向けて突出したストッパーピン１４７を有する円弧状の調節部材１５９と、該調節部材１５９の他端を後部アーム１４４に取り付けるためのビス１６５と、該ビス１６５にねじ込まれたローレットナット１００から構成されている。なお、後部アーム１４４の所定位置にはビス１６５を挿通するための図示しない孔が設けられている。
【０１５９】
つぎに上記傾動角調節手段１５８の使用方法を述べると、先ず同図８９に一点鎖線で示すように初期状態でストッパーピン１４７が前部アーム１４５の下面に接触するように調節部材１５９をビス１６５を軸にして回転し、ローレットナット１００を強く締めて調節部材を後部アーム１４４に固定する。この調節により前部アーム１４５は後部アーム１４４に対して実線で示した初期状態からテークバック時の反時計方向の傾動は行い得るものの、ボール打撃後の時計方向の傾動はストッパーピン１４７に阻止されるので作用効果は前記第１実施形態例（図１〜図７）と略同じになる。
【０１６０】
また、ローレットナット１００を緩めて傾動角調節部材１５９を同図中に一点鎖線で示す位置から適当な角度だけ時計方向に回転させ、初期状態でストッパーピン１４７と前部アーム１４５の下面との間に所定の隙間を設けた状態でローレットナット１００を締めて傾動角調節部材を後部アーム１４４に固定した場合は、前記初期状態からその隙間に見合った角度だけ前部アームが後部アームに対して時計方向に傾動できるので、ボール打撃後ヘッドが円弧状軌道Ｓに沿って上昇しても軌条体が低い位置にあり、前記図５３に示した作動図の場合等と略同様に打撃後ボールが床面を転がる距離が長くなる。
【０１６１】
【発明の効果】
以上詳しく述べたように本発明のゴルフ練習具は、パターに取り付け得るように構成された取付け手段と軌条体を、傾動部材を介して連結し、該傾動部材を取り付け手段に対して前方が上下動する方向に傾動可能に構成すると共に、軌条体も傾動部材に対して前方が上下動する方向に傾動可能に構成したので、打撃練習時にヘッドを後方に引いてテークバックをとった場合に、軌条体後部が上昇する床面からの高さ寸法を、パターヘッドが上昇する床面からの高さ寸法より小さく抑えることができる。そしてこのようにテークバック時の軌条体後部の床面からの上昇寸法を小さく抑えることによって、床面に静止したボール位置における軌条体の床面からの上昇寸法を更に小さくすることができ、これによってボールと軌条体の幅方向の隙間を大きく確保して、軌条体の幅方向の振れを大きく許容できるので、スイングの安定しない初心者等が使用しても軌条体がボールに接触することなくスイングできるという優れた効果を有する。
また更に、本発明のゴルフ練習具にはパターに取り付けるための取付け手段に対する傾動部材の傾動角を調節するための傾動部材傾動角調節手段、及び／又は傾動部材に対する軌条体の傾動角を調節するための軌条体傾動角調節手段を設けたので、これらの傾動角調節手段を調節することにより、練習者は各自の好みに合わせてボール打撃後の軌条体の姿勢を自由に調節できるという優れた効果を有する。
【図面の簡単な説明】
【図１】  本発明のゴルフ練習具の構成例を示す側面図である。
【図２】  図１に示すゴルフ練習具の平面図である。
【図３】  図１に示すゴルフ練習具のＤ―Ｄ断面図である。
【図４】  図１に示すゴルフ練習具のＥ―Ｅ断面図である。
【図５】  図１に示すゴルフ練習具の一部分を示す分解斜視図である。
【図６】  図１に示すゴルフ練習具の作動を説明するための側面図である。
【図７】  図６に示すゴルフ練習具のＦ―Ｆ断面図である。
【図８】  本発明のゴルフ練習具の他の構成例を示す部分側面図である。
【図９】  図８に示すゴルフ練習具の平面図である。
【図１０】図８に示すゴルフ練習具の一部分を示す分解斜視図である。
【図１１】本発明のゴルフ練習具の他の構成例一部分を示す分解斜視図である。
【図１２】本発明のゴルフ練習具の他の構成例を示す部分側面図である。
【図１３】図１２に示すゴルフ練習具の平面図である。
【図１４】図１２に示すゴルフ練習具の一部分を示す分解斜視図である。
【図１５】本発明のゴルフ練習具の他の構成例を示す部分側面図である。
【図１６】図１５に示すゴルフ練習具の部分平面図である。
【図１７】図１５に示すゴルフ練習具の一部分を示す斜視図である。
【図１８】図１５に示すゴルフ練習具の作動を説明するための側面図である。
【図１９】図１５に示すゴルフ練習具の作動を説明するための側面図である。
【図２０】本発明のゴルフ練習具の他の構成例の一部分を示す斜視図である。
【図２１】図２０に示すゴルフ練習具の作動を説明するための側面図である。
【図２２】図２０に示すゴルフ練習具の作動を説明するための側面図である。
【図２３】本発明のゴルフ練習具の他の構成例の一部分を示す斜視図である。
【図２４】図２３に示すゴルフ練習具の作動を説明するための側面図である。
【図２５】図２３に示すゴルフ練習具の作動を説明するための側面図である。
【図２６】本発明のゴルフ練習具の他の構成例の一部分を示す斜視図である。
【図２７】図２６に示すゴルフ練習具の作動を説明するための側面図である。
【図２８】本発明のゴルフ練習具の他の構成例の一部分を示す斜視図である。
【図２９】図２８に示すゴルフ練習具の作動を説明するための側面図である。
【図３０】本発明のゴルフ練習具の他の構成例の一部分を示す側面図である。
【図３１】本発明のゴルフ練習具の他の構成例の一部分を示す斜視図である。
【図３２】本発明のゴルフ練習具の他の構成例の一部分を示す斜視図である。
【図３３】本発明のゴルフ練習具の他の構成例の一部分を示す側面図である。
【図３４】図３３に示すゴルフ練習具の平面図である。
【図３５】図３３に示すゴルフ練習具の一部分を示す分解斜視図である。
【図３６】本発明のゴルフ練習具の他の構成例の一部分を示す分解斜視図である。
【図３７】本発明のゴルフ練習具の他の構成例の一部分を示す側面図である。
【図３８】図３７に示すゴルフ練習具の平面図である。
【図３９】図３７に示すゴルフ練習具のＧ―Ｇ断面図である。
【図４０】図３７に示すゴルフ練習具の分解斜視図である。
【図４１】本発明のゴルフ練習具の他の構成例の一部分を示す側面図である。
【図４２】図４１に示すゴルフ練習具のＩ―Ｉ断面図である。
【図４３】図４１に示すゴルフ練習具の一部分を示す分解斜視図である。
【図４４】図４１に示すゴルフ練習具の調節部材の作動を示す側面図である。
【図４５】図４１に示すゴルフ練習具の作動を示す側面図である。
【図４６】図４１に示すゴルフ練習具の調節部材の作動を示す側面図である。
【図４７】図４１に示すゴルフ練習具の作動を示す側面図である。
【図４８】図４１に示すゴルフ練習具の調節部材の作動を示す側面図である。
【図４９】図４１に示すゴルフ練習具の調節部材の作動を示す側面図である。
【図５０】図４１に示すゴルフ練習具の作動を示す側面図である。
【図５１】本発明のゴルフ練習具の他の構成例を示す側面図である。
【図５２】図５１に示すゴルフ練習具の作動を示す側面図である。
【図５３】図５１に示すゴルフ練習具の作動を示す側面図である。
【図５４】本発明のゴルフ練習具の他の構成例を示す側面図である。
【図５５】図５４に示すゴルフ練習具の平面図である。
【図５６】図５４に示すゴルフ練習具の一部分を示す斜視図である。
【図５７】図５４に示すゴルフ練習具の一部分を示す斜視図である。
【図５８】図５４に示すゴルフ練習具の一部分を示す分解斜視図である。
【図５９】図５４に示すゴルフ練習具の作動を示す側面図である。
【図６０】図５４に示すゴルフ練習具の作動を示す側面図である。
【図６１】図５４に示すゴルフ練習具の作動を示す側面図である。
【図６２】本発明のゴルフ練習具の他の構成例を示す側面図である。
【図６３】図６２に示すゴルフ練習具の一部分を示す側面図である。
【図６４】図６２に示すゴルフ練習具の平面図である。
【図６５】図６２に示すゴルフ練習具の作動を示す側面図である。
【図６６】図６２に示すゴルフ練習具の調節部材の作動を示す側面図である。
【図６７】図６２に示すゴルフ練習具の調節部材の作動を示す側面図である。
【図６８】図６２に示すゴルフ練習具の作動を示す側面図である。
【図６９】本発明ゴルフ練習具の他の構成例の作動を示す側面図である。
【図７０】本発明ゴルフ練習具の他の構成例の作動を示す側面図である。
【図７１】本発明ゴルフ練習具の他の構成例の作動を示す側面図である。
【図７２】本発明ゴルフ練習具の他の構成例の作動を示す側面図である。
【図７３】本発明のゴルフ練習具の他の構成例を示す部分側面図である。
【図７４】図７３に示すゴルフ練習具の平面図である。
【図７５】本発明のゴルフ練習具の他の構成例を示す部分側面図である。
【図７６】本発明のゴルフ練習具の他の構成例を示す部分斜視図である。
【図７７】本発明のゴルフ練習具の他の構成例を示す部分側面図である。
【図７８】図７７に示すゴルフ練習具の一部分を示す斜視図である。
【図７９】本発明のゴルフ練習具の他の構成例を示す部分側面図である。
【図８０】図７９に示すゴルフ練習具の平面図である。
【図８１】図７９に示すゴルフ練習具一部分を示す分解斜視図である。
【図８２】本発明のゴルフ練習具の他の構成例を示す側面図である。
【図８３】本発明のゴルフ練習具の他の構成例を示す側面図である。
【図８４】本発明のゴルフ練習具の他の構成例を示す側面図である。
【図８５】本発明のゴルフ練習具の他の構成例を示す側面図である。
【図８６】本発明のゴルフ練習具の他の構成例を示す部分側面図である。
【図８７】図８６に示すゴルフ練習具の平面図である。
【図８８】図８６に示すゴルフ練習具の作動を示す側面図である。
【図８９】本発明のゴルフ練習具の他の構成例を示す部分側面図である。
【図９０】従来のゴルフ練習具を示す側面図である。
【図９１】図９０に示す従来のゴルフ練習具のＡ―Ａ断面図である。
【図９２】図９０に示す従来のゴルフ練習具のＢ―Ｂ断面図である。
【図９３】図９０に示す従来のゴルフ練習具の作動を示す側面図である。
【図９４】図９０に示す従来のゴルフ練習具の作動図のＣ―Ｃ断面図である。
【符号の説明】
１    軌条体、  １ａ・１ａ    軌条体構成部材、  ４    ストッパー、
９    基板、    １０・１０ａ    打撃面当接体、
１３・１３ａ    傾動部材、    １４・１４ａ    アーム部材、
１８・１８ａ    ヒンジピン、    ２０・２０ａ    ヒンジピン、
８８    傾動部材傾動角調節手段、    ９４    軌条体傾動角調節手段、
１０５    軌条体傾動角調節手段、    １４４    後部アーム（傾動部材）、
１４５    前部アーム（傾動部材）、    １４６・１４６ａ    ヒンジピン、
１５８    前部アーム傾動角調節手段、
【図１】
0004212203.tif 000002
【図２】
0004212203.tif 000003
【図３】
0004212203.tif 000004
【図４】
0004212203.tif 000005
【図５】
0004212203.tif 000006
【図６】
0004212203.tif 000007
【図７】
0004212203.tif 000008
【図８】
0004212203.tif 000009
【図９】
0004212203.tif 000010
【図１０】
0004212203.tif 000011
【図１１】
0004212203.tif 000012
【図１２】
0004212203.tif 000013
【図１３】
0004212203.tif 000014
【図１４】
0004212203.tif 000015
【図１５】
0004212203.tif 000016
【図１６】
0004212203.tif 000017
【図１７】
0004212203.tif 000018
【図１８】
0004212203.tif 000019
【図１９】
0004212203.tif 000020
【図２０】
0004212203.tif 000021
【図２１】
0004212203.tif 000022
【図２２】
0004212203.tif 000023
【図２３】
0004212203.tif 000024
【図２４】
0004212203.tif 000025
【図２５】
0004212203.tif 000026
【図２６】
0004212203.tif 000027
【図２７】
0004212203.tif 000028
【図２８】
0004212203.tif 000029
【図２９】
0004212203.tif 000030
【図３０】
0004212203.tif 000031
【図３１】
0004212203.tif 000032
【図３２】
0004212203.tif 000033
【図３３】
0004212203.tif 000034
【図３４】
0004212203.tif 000035
【図３５】
0004212203.tif 000036
【図３６】
0004212203.tif 000037
【図３７】
0004212203.tif 000038
【図３８】
0004212203.tif 000039
【図３９】
0004212203.tif 000040
【図４０】
0004212203.tif 000041
【図４１】
0004212203.tif 000042
【図４２】
0004212203.tif 000043
【図４３】
0004212203.tif 000044
【図４４】
0004212203.tif 000045
【図４５】
0004212203.tif 000046
【図４６】
0004212203.tif 000047
【図４７】
0004212203.tif 000048
【図４８】
0004212203.tif 000049
【図４９】
0004212203.tif 000050
【図５０】
0004212203.tif 000051
【図５１】
0004212203.tif 000052
【図５２】
0004212203.tif 000053
【図５３】
0004212203.tif 000054
【図５４】
0004212203.tif 000055
【図５５】
0004212203.tif 000056
【図５６】
0004212203.tif 000057
【図５７】
0004212203.tif 000058
【図５８】
0004212203.tif 000059
【図５９】
0004212203.tif 000060
【図６０】
0004212203.tif 000061
【図６１】
0004212203.tif 000062
【図６２】
0004212203.tif 000063
【図６３】
0004212203.tif 000064
【図６４】
0004212203.tif 000065
【図６５】
0004212203.tif 000066
【図６６】
0004212203.tif 000067
【図６７】
0004212203.tif 000068
【図６８】
0004212203.tif 000069
【図６９】
0004212203.tif 000070
【図７０】
0004212203.tif 000071
【図７１】
0004212203.tif 000072
【図７２】
0004212203.tif 000073
【図７３】
0004212203.tif 000074
【図７４】
0004212203.tif 000075
【図７５】
0004212203.tif 000076
【図７６】
0004212203.tif 000077
【図７７】
0004212203.tif 000078
【図７８】
0004212203.tif 000079
【図７９】
0004212203.tif 000080
【図８０】
0004212203.tif 000081
【図８１】
0004212203.tif 000082
【図８２】
0004212203.tif 000083
【図８３】
0004212203.tif 000084
【図８４】
0004212203.tif 000085
【図８５】
0004212203.tif 000086
【図８６】
0004212203.tif 000087
【図８７】
0004212203.tif 000088
【図８８】
0004212203.tif 000089
【図８９】
0004212203.tif 000090
【図９０】
0004212203.tif 000091
【図９１】
0004212203.tif 000092
【図９２】
0004212203.tif 000093
【図９３】
0004212203.tif 000094
【図９４】
0004212203.tif 000095